(57)【要約】  本開示は、基地局からアンライセンス無線セルを介して、アンライセンス無線セルの少なくとも１つの無線リソースセットを設定するためのアップリンク設定情報を受信するユーザ機器（ＵＥ）であって、無線リソースセットが、ＵＥが関連付けられているＵＥグループを示すＵＥグループＩＤに関連付けられている、ユーザ機器（ＵＥ）に関する。ＵＥは、ＵＥグループＩＤを示すダウンリンク制御情報（ＤＣＩ）を基地局から受信する。ＵＥは、関連付けられているＵＥグループＩＤが、ＤＣＩによって示されたＵＥグループＩＤと同じであると判定するとき、アップリンク制御情報無線リソースの少なくとも１つのセット内のスケジューリング要求無線リソースを、受信したダウンリンク制御情報に基づいて決定する。ＵＥは、決定したスケジューリング要求無線リソースを使用してスケジューリング要求を基地局に送信する。
2022501856.tif 000002
【特許請求の範囲】
【請求項１】
動作時、アンライセンス無線セルを介してユーザ機器と通信する基地局から、前記アンライセンス無線セルの無線リソースの少なくとも１つのセットを設定するためのアップリンク設定情報、および、ＵＥグループＩＤを示すダウンリンク制御情報を受信する受信機であって、前記無線リソースの少なくとも１つのセットが、アップリンク制御情報を送信するために前記ユーザ機器に利用可能であり、前記無線リソースの少なくとも１つのセットが、前記ユーザ機器が関連付けられているユーザ機器のグループを示すＵＥグループＩＤに関連付けられている、前記受信機と、
動作時、前記ユーザ機器が関連付けられているＵＥグループＩＤが前記ダウンリンク制御情報によって受信されたＵＥグループＩＤと同じであるかを判定し、前記ユーザ機器が関連付けられているＵＥグループＩＤが前記ダウンリンク制御情報によって示されたＵＥグループＩＤと同じであると判定するとき、前記アップリンク制御情報を送信するための無線リソースの少なくとも１つのセット内のスケジューリング要求無線リソースを、前記受信されたダウンリンク制御情報に基づいて決定する、処理回路と、
動作時、スケジューリング要求を、前記決定されたスケジューリング要求無線リソースを使用して前記基地局に送信する、送信機と、
を備えるユーザ機器。
【請求項２】
前記処理回路が、動作時、前記ダウンリンク制御情報のフィールドから前記ＵＥグループＩＤを求め、オプションとして、前記処理回路が、動作時、前記ダウンリンク制御情報の誤り訂正符号を、スロットフォーマットインジケータ無線ネットワーク一時識別子（ＳＦＩ−ＲＮＴＩ）、または中断送信インジケータＲＮＴＩ（ＩＮＴ−ＲＮＴＩ）、または５Ｇ−ＮＲ通信システムのシステム情報ＲＮＴＩ（ＳＩ−ＲＮＴＩ）、またはスケジューリング要求に固有なＲＮＴＩなどの、共通識別子、を使用して、デスクランブルする、または、
前記処理回路が、動作時、前記ダウンリンク制御情報の誤り訂正符号のデスクランブリングに基づいて、前記ＵＥグループＩＤを求める、
請求項１に記載のユーザ機器。
【請求項３】
前記基地局が前記アンライセンス無線セルの空きチャネル判定の成功時に前記アンライセンス無線セルを取得しているチャネル占有時間の間に、前記ダウンリンク制御情報が前記基地局によって送信される、
請求項１または請求項２に記載のユーザ機器。
【請求項４】
前記ダウンリンク制御情報が、前記スケジューリング要求を送信するために使用されるべきスケジューリング要求無線リソースに関する情報を含み、
前記処理回路が、動作時、前記スケジューリング要求無線リソースが、前記アップリンク制御情報を送信するための無線リソースの少なくとも１つのセット内であるかを判定し、
前記処理回路が、前記スケジューリング要求無線リソースが前記アップリンク制御情報を送信するための無線リソースの少なくとも１つのセットの前記無線リソース内であると判定するとき、前記スケジューリング要求を、前記ダウンリンク制御情報の中で示された前記スケジューリング要求無線リソースを使用して送信するように決定し、
オプションとして、前記処理回路が、前記スケジューリング要求無線リソースが前記アップリンク制御情報を送信するための無線リソースの少なくとも１つのセットの前記無線リソース内ではないと判定するとき、前記スケジューリング要求を送信しないように決定する、
請求項１から請求項３のいずれか１項に記載のユーザ機器。
【請求項５】
前記アップリンク設定情報が、無線リソース制御（ＲＲＣ）層の１つまたは複数のメッセージの中で受信される、
請求項１から請求項４のいずれか１項に記載のユーザ機器。
【請求項６】
前記ダウンリンク制御情報が、共通制御情報リソース領域において送信され、前記共通制御情報リソース領域が、前記アンライセンス無線セル内の複数のユーザ機器によって監視され、オプションとして、前記処理回路が、動作時、前記ダウンリンク制御情報の誤り訂正符号を共通識別子を使用してデスクランブルする、
および／または、
前記ダウンリンク制御情報が、専用制御情報リソース領域において送信され、前記専用制御情報リソース領域が、前記ユーザ機器によって監視されるが、前記アンライセンス無線セル内の他のユーザ機器によっては監視されず、オプションとして、前記処理回路が、動作時、前記ダウンリンク制御情報の誤り訂正符号を、前記ユーザ機器の専用識別子を使用してデスクランブルする、
請求項１から請求項５のいずれか１項に記載のユーザ機器。
【請求項７】
前記処理回路が、動作時、前記ユーザ機器が、前記スケジューリング要求を送信する前に前記アンライセンス無線セルに対する空きチャネル判定を実行する必要がないことを、前記受信されたダウンリンク制御情報に基づいて判定し、
オプションとして、前記スケジューリング要求の前記送信が、前記ＵＥグループＩＤを示す前記ダウンリンク制御情報を受信した後、定義されている期間内に実行され、前記期間の間、前記ユーザ機器が、前記アンライセンス無線セルにおいて送信を実行するために前記アンライセンス無線セルに対する空きチャネル判定を実行する必要がない、
請求項１から請求項６のいずれか１項に記載のユーザ機器。
【請求項８】
前記受信機が、動作時、最初のダウンリンク制御情報を受信した後、前記基地局によって送信される前記ダウンリンク制御情報の繰り返しを受信する、
請求項１から請求項７のいずれか１項に記載のユーザ機器。
【請求項９】
前記スケジューリング要求が、さらなるアップリンク送信用の、前記基地局からのアップリンク無線リソース、を要求する、
請求項１から請求項８のいずれか１項に記載のユーザ機器。
【請求項１０】
動作時、アンライセンス無線セルの無線リソースの少なくとも１つのセットを設定するためのアップリンク設定情報を、１基または複数のユーザ機器に送信する送信機であって、前記無線リソースの少なくとも１つのセットが、前記アンライセンス無線セルにおいてアップリンク制御情報を送信するために前記ユーザ機器に利用可能であり、前記無線リソースの少なくとも１つのセットが、前記ユーザ機器が関連付けられているユーザ機器のグループを示すＵＥグループＩＤに関連付けられている、前記送信機と、
動作時、前記アンライセンス無線セルの空きチャネル判定を実行する処理回路と、
を備えており、
前記アンライセンス無線セルの前記空きチャネル判定に成功する場合、前記処理回路が、動作時、前記複数のＵＥグループの１つ、および関連付けられる前記ＵＥグループＩＤを決定し、
前記送信機が、動作時、前記決定されたＵＥグループＩＤを示すダウンリンク制御情報を、前記１基または複数のユーザ機器に送信する、
基地局。
【請求項１１】
動作時、前記決定されたＵＥグループＩＤに関連付けられている前記ユーザ機器の１基または複数から、スケジューリング要求を受信する受信機、
をさらに備えている、
請求項１０に記載の基地局。
【請求項１２】
ユーザ機器によって実行される以下のステップ、すなわち、
アンライセンス無線セルを介して前記ユーザ機器と通信する基地局から、前記アンライセンス無線セルの無線リソースの少なくとも１つのセットを設定するためのアップリンク設定情報、を受信するステップであって、前記無線リソースの少なくとも１つのセットが、アップリンク制御情報を送信するために前記ユーザ機器に利用可能であり、前記無線リソースの少なくとも１つのセットが、前記ユーザ機器が関連付けられているユーザ機器のグループを示すＵＥグループＩＤに関連付けられている、ステップと、
ＵＥグループＩＤを示すダウンリンク制御情報を前記基地局から受信するステップと、
前記ユーザ機器が関連付けられている前記ＵＥグループＩＤが、前記ダウンリンク制御情報によって受信された前記ＵＥグループＩＤと同じであるかを判定するステップと、
前記ユーザ機器が関連付けられている前記ＵＥグループＩＤが、前記ダウンリンク制御情報によって示された前記ＵＥグループＩＤと同じであると判定するとき、前記アップリンク制御情報を送信するための無線リソースの少なくとも１つのセット内のスケジューリング要求無線リソースを、前記受信されたダウンリンク制御情報に基づいて決定するステップと、
スケジューリング要求を、前記決定されたスケジューリング要求無線リソースを使用して前記基地局に送信するステップと、
を含む方法。
【請求項１３】
動作時、アンライセンス無線セルを介してユーザ機器と通信する基地局から、前記アンライセンス無線セルの無線リソースの少なくとも１つのセットを設定するためのアップリンク設定情報、および、ＣＯＴ番号を含むチャネル占有信号を受信する受信機であって、前記無線リソースの少なくとも１つのセットが、アップリンク制御情報を送信するために前記ユーザ機器に利用可能であり、前記無線リソースの少なくとも１つのセットが、複数のチャネル占有時間（ＣＯＴ）番号の１つに関連付けられている、前記受信機と、
動作時、前記受信されたＣＯＴ番号が、前記無線リソースの少なくとも１つのセットが関連付けられている前記ＣＯＴ番号の１つと同じであるかを判定し、前記受信されたＣＯＴ番号が、前記無線リソースの少なくとも１つのセットが関連付けられている前記ＣＯＴ番号の１つと同じであると判定するとき、前記無線リソースの少なくとも１つのセット内のスケジューリング要求無線リソースを、前記受信されたチャネル占有信号に基づいて決定する、処理回路と、
動作時、スケジューリング要求を、前記決定されたスケジューリング要求無線リソースを使用して前記基地局に送信する、送信機と、
を備えているユーザ機器。
【請求項１４】
前記チャネル占有信号が、前記アンライセンス無線セルにおいて前記基地局によってブロードキャストされる１つまたは複数の同期信号を使用して、オプションとして、スクランブリング参照信号シーケンスを使用して、送信される、または、前記チャネル占有信号が、前記ユーザ機器によって監視されるダウンリンクリソース領域においてダウンリンク制御情報として送信される、
請求項１３に記載のユーザ機器。
【請求項１５】
前記処理回路が、動作時、前記ユーザ機器が、前記スケジューリング要求を送信する前に前記アンライセンス無線セルに対する空きチャネル判定を実行する必要がないことを、前記受信されたチャネル占有信号に基づいて判定し、
オプションとして、前記スケジューリング要求の前記送信が、前記ダウンリンク制御情報を受信した後、定義されている期間内に実行され、前記期間の間、前記ユーザ機器が、送信を実行するために前記アンライセンス無線セルに対する空きチャネル判定を実行する必要がない、
請求項１４に記載のユーザ機器。
【請求項１６】
動作時、アンライセンス無線セルの無線リソースの少なくとも１つのセットを設定するためのアップリンク設定情報を、１基または複数のユーザ機器に送信する送信機であって、前記無線リソースの少なくとも１つのセットが、前記アンライセンス無線セルにおいてアップリンク制御情報を送信するために前記ユーザ機器に利用可能であり、前記無線リソースの少なくとも１つのセットが、複数のチャネル占有時間（ＣＯＴ）番号の１つに関連付けられている、前記送信機と、
動作時、前記アンライセンス無線セルの空きチャネル判定を実行する処理回路と、
を備えており、
前記アンライセンス無線セルの前記空きチャネル判定に成功する場合、前記処理回路が、動作時、前記複数のＣＯＴ番号の１つを決定し、
前記送信機が、動作時、前記決定されたＣＯＴ番号を示すチャネル占有信号を、前記１基または複数のユーザ機器に送信する、
基地局。
【請求項１７】
動作時、前記決定されたＣＯＴ番号に関連付けられている前記ユーザ機器の１基または複数から、スケジューリング要求を受信する受信機、
をさらに備えている、
請求項１６に記載の基地局。
【請求項１８】
前記処理回路が、各チャネル占有に対して前記複数のＣＯＴ番号の１つを連続的に決定し、前に決定されたＣＯＴ番号の後に次のＣＯＴ番号を選ぶ、または、
前記処理回路が、スケジューリング要求を送信するための機会が提供されるべき前記１基または複数のユーザ機器に基づいて、前記複数のＣＯＴ番号の１つを決定する、
請求項１６または請求項１７に記載の基地局。
【請求項１９】
ユーザ機器によって実行される以下のステップ、すなわち、
アンライセンス無線セルを介して前記ユーザ機器と通信する基地局から、前記アンライセンス無線セルの無線リソースの少なくとも１つのセットを設定するためのアップリンク設定情報、を受信するステップであって、前記無線リソースの少なくとも１つのセットが、アップリンク制御情報を送信するために前記ユーザ機器に利用可能であり、前記無線リソースの少なくとも１つのセットが、複数のチャネル占有時間（ＣＯＴ）番号の１つに関連付けられている、ステップと、
ＣＯＴ番号を含むチャネル占有信号を前記基地局から受信するステップと、
前記受信されたＣＯＴ番号が、前記無線リソースの少なくとも１つのセットが関連付けられている前記ＣＯＴ番号の１つと同じであるかを判定するステップと、
前記受信されたＣＯＴ番号が、前記無線リソースの少なくとも１つのセットが関連付けられている前記ＣＯＴ番号の１つと同じであると判定するとき、前記無線リソースの少なくとも１つのセット内のスケジューリング要求無線リソースを、前記受信されたチャネル占有信号に基づいて決定するステップと、
スケジューリング要求を、前記決定されたスケジューリング要求リソースを使用して前記基地局に送信するステップと、
を含む方法。
【発明の詳細な説明】
【技術分野】
【０００１】
本開示は、通信システム（３ＧＰＰ通信システムなど）における方法、装置、および項目を対象としている。
【背景技術】
【０００２】
現在、第３世代パートナーシッププロジェクト（３ＧＰＰ：the 3rd Generation Partnership Project）は、次世代のセルラー技術（第５世代（５Ｇ）とも呼ばれる）の技術仕様に取り組んでいる。
【０００３】
１つの目的は、少なくとも拡張モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、あらゆる使用シナリオ、要件、および配置シナリオ（例えば非特許文献１の６節（参照により本明細書に組み込まれている）を参照）に対処する、単一の技術的枠組みを提供することである。例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、遠隔診断、および遠隔治療）、車両のリアルタイム制御、スマートグリッドの広域監視・制御システムが含まれうる。ｍＭＴＣの配置シナリオには、スマートウェアラブルやセンサネットワークなど、データ伝送の遅延の影響が小さい多数の装置を使用するシナリオが含まれうる。ｅＭＢＢサービスとＵＲＬＬＣサービスは、いずれも極めて広い帯域幅が要求される点において似ているが、ＵＲＬＬＣサービスは、好ましくは極めて小さいレイテンシ（待ち時間）（latency）が要求される点において異なる。
【０００４】
第２の目的は、前方互換性を達成することである。ロングタームエボリューション（ＬＴＥ、ＬＴＥ−Ａ）セルラーシステムへの後方互換性は要求されず、これにより、まったく新しいシステムの設計および／または新規の特徴の導入が促進される。
【先行技術文献】
【非特許文献】
【０００５】
【非特許文献１】TR 38.913 version 15.0.0
【非特許文献２】Technical Report TR 38.804 v14.0.0
【非特許文献３】3GPP TS 38.300 v15.2.0
【非特許文献４】3GPP TR 38.801 v14.0.0
【非特許文献５】3GPP TS 38.211 v15.2.0
【非特許文献６】TS 38.212 v15.2.0
【非特許文献７】TS 38.213 v15.2.0
【非特許文献８】3GPP TS 38.321 v15.2.0
【非特許文献９】3GPP TS 38.331 v15.2.1
【非特許文献１０】3GPP Technical Report TR 36.889, version 13.0.0
【非特許文献１１】ETSI 301 893
【発明の概要】
【発明が解決しようとする課題】
【０００６】
非限定的かつ例示的な実施形態は、アンライセンス周波数帯においてアップリンク制御データ（スケジューリング要求など）を送信するための改良された手順を提供することを促進する。
【課題を解決するための手段】
【０００７】
一般的な第１の一例においては、本明細書に開示されている技術は、受信機と、送信機と、処理回路とを備えたユーザ機器、を提供する。受信機は、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、ユーザ機器が関連付けられているユーザ機器のグループを示すＵＥグループＩＤに関連付けられている。さらに受信機は、ＵＥグループＩＤを示すダウンリンク制御情報（ＤＣＩ）を基地局から受信する。処理回路は、ユーザ機器が関連付けられているＵＥグループＩＤが、ダウンリンク制御情報によって受信されたＵＥグループＩＤと同じであるかを判定する。処理回路は、ユーザ機器が関連付けられているＵＥグループＩＤが、ダウンリンク制御情報によって示されたＵＥグループＩＤと同じであると判定するとき、アップリンク制御情報無線リソースの少なくとも１つのセット内のスケジューリング要求無線リソースを、受信されたダウンリンク制御情報に基づいて決定する。送信機は、スケジューリング要求を、決定されたスケジューリング要求無線リソースを使用して基地局に送信する。
【０００８】
一般的な第１の一例においては、本明細書に開示されている技術は、ユーザ機器によって実行される以下のステップを含む方法、を提供する。ＵＥは、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、ユーザ機器が関連付けられているユーザ機器のグループを示すＵＥグループＩＤに関連付けられている。ＵＥは、ＵＥグループＩＤを示すダウンリンク制御情報（ＤＣＩ）を基地局から受信する。ＵＥは、ユーザ機器が関連付けられているＵＥグループＩＤが、ダウンリンク制御情報によって受信されたＵＥグループＩＤと同じであるかを判定する。ＵＥは、ユーザ機器が関連付けられているＵＥグループＩＤが、ダウンリンク制御情報によって示されたＵＥグループＩＤと同じであると判定するとき、アップリンク制御情報無線リソースの少なくとも１つのセット内のスケジューリング要求無線リソースを、受信されたダウンリンク制御情報に基づいて決定する。ＵＥは、スケジューリング要求を、決定されたスケジューリング要求無線リソースを使用して基地局に送信する。
【０００９】
一般的な第１の一例においては、本明細書に開示されている技術は、送信機および処理回路を備えた基地局、を提供する。送信機は、アンライセンス無線セルの無線リソースの少なくとも１つのセットを設定するためのアップリンク設定情報を、１基または複数のユーザ機器に送信し、無線リソースの少なくとも１つのセットが、アンライセンス無線セルにおいてアップリンク制御情報の送信用にユーザ機器に利用可能であり、無線リソースの少なくとも１つのセットが、ユーザ機器が関連付けられているユーザ機器のグループを示すＵＥグループＩＤに関連付けられている。処理回路は、アンライセンス無線セルの空きチャネル判定を実行する。アンライセンス無線セルの空きチャネル判定に成功する場合、処理回路は、複数のＵＥグループの１つ、および関連付けられるＵＥグループＩＤを決定する。送信機は、決定されたＵＥグループＩＤを示すダウンリンク制御情報を、１基または複数のユーザ機器に送信する。
【００１０】
なお、一般的な実施形態または特定の実施形態は、システム、方法、集積回路、コンピュータプログラム、記憶媒体、またはこれらの任意の選択的な組合せとして、実施できることに留意されたい。
【００１１】
開示されている実施形態およびさまざまな実装形態のさらなる恩恵および利点は、本明細書および図面から明らかであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【００１２】
以下では、例示的な実施形態について、添付の図面を参照しながらさらに詳しく説明する。
【図面の簡単な説明】
【００１３】
【図１】３ＧＰＰ  ＮＲシステムの例示的なアーキテクチャを示している。
【図２】ＬＴＥ  ｅＮＢ、ｇＮＢ、およびＵＥの例示的なユーザプレーンおよび制御プレーンのアーキテクチャを示している。
【図３】いくつかのライセンスセルおよびアンライセンスセルを含む例示的なＬＡＡ（ライセンス補助アクセス）シナリオを示している。
【図４】ＬＡＡ送信における送信挙動を示している。
【図５】ＵＥおよびｇＮＢの例示的な単純化された構造を示している。
【図６】例示的な一実装形態に係る、ＵＥの構造を示している。
【図７】例示的な一実装形態に係る、ＵＥの挙動の流れ図である。
【図８】例示的な一実装形態に係る、ｇＮＢの挙動の流れ図である。
【図９】例示的な一実装形態に係る、ＵＥとｇＮＢとの間の信号の交換を示している。
【図１０】例示的な一実装形態に係る、周波数・時間リソースグリッドと、ＰＵＣＣＨリソースセットの例示的な設定を示している。
【図１１】例示的な一実装形態に係る、ＵＥの構造を示している。
【図１２】例示的な一実装形態に係る、ＵＥの挙動の流れ図である。
【図１３】例示的な一実装形態に係る、ｇＮＢの挙動の流れ図である。
【図１４】例示的な一実装形態に係る、ＵＥとｇＮＢとの間の信号の交換を示している。
【発明を実施するための形態】
【００１４】
［５Ｇ  ＮＲシステムのアーキテクチャおよびプロトコルスタック］
背景技術のセクションで説明したように、３ＧＰＰは、最大１００ＧＨｚの周波数範囲で動作する新しい無線アクセス技術（ＮＲ）の開発を含む、第５世代のセルラー技術（簡潔に５Ｇと呼ばれる）のための次のリリースの策定を進めている。３ＧＰＰは、緊急な市場のニーズと、より長期的な要求条件の両方を適切な時期に満たしながら、ＮＲシステムを成功裏に標準化するために必要な技術要素を明らかにして開発しなければならない。これを達成する目的で、検討項目「New Radio Access Technology（新しい無線アクセス技術）」では、無線インタフェースおよび無線ネットワークアーキテクチャを進化・発展させることが考慮されている。結果および合意事項は、非特許文献２（その全体が参照により本明細書に組み込まれている）にまとめられている。
【００１５】
特に、全体的なシステムアーキテクチャは、ｇＮＢを備えるＮＧ−ＲＡＮ（次世代−無線アクセスネットワーク：Next Generation - Radio Access Network）を想定しており、これらのｇＮＢは、ＵＥに向かうＮＧ無線アクセスユーザプレーン（ＳＤＡＰ／ＰＤＣＰ／ＲＬＣ／ＭＡＣ／ＰＨＹ）プロトコルおよび制御プレーン（ＲＲＣ）プロトコルを終端させる。ｇＮＢは、Ｘｎインタフェースによって互いに相互接続されている。さらにｇＮＢは、次世代（ＮＧ）インタフェースによってＮＧＣ（次世代コア：Next Generation Core）に接続され、より具体的には、ＮＧ−ＣインタフェースによってＡＭＦ（アクセスおよびモビリティ管理機能：Access and Mobility Management Function）（例：ＡＭＦを実行する特定のコアエンティティ）に接続され、ＮＧ−ＵインタフェースによってＵＰＦ（ユーザプレーン機能：User Plane Function）（例：ＵＰＦを実行する特定のコアエンティティ）に接続される。ＮＧ−ＲＡＮのアーキテクチャは、図１に示してある（例えば非特許文献３の４節（参照により本明細書に組み込まれている）を参照）。
【００１６】
さまざまな異なる配置シナリオをサポートすることができる（例えば非特許文献４（参照により本明細書に組み込まれている）を参照）。この文献には、例えば、非中央集中型の配置シナリオが提示されており（例えば非特許文献４の５．２節を参照、中央集中型は５．４節に記載されている）、このシナリオでは、５Ｇ  ＮＲをサポートする基地局を配置することができる。図２は、例示的な非中央集中型の配置シナリオを示しており（この非特許文献４の例えば図５．２．−１を参照）、ＬＴＥ  ｅＮＢおよびユーザ機器（ＵＥ：user equipment）をさらに示しており、ユーザ機器（ＵＥ）は、ｇＮＢおよびＬＴＥ  ｅＮＢの両方に接続されている。ＮＲ  ５Ｇの新しいｅＮＢは、例示的にｇＮＢと呼ぶことができる。ｅＬＴＥ  ｅＮＢは、ｅＮＢの進化型であり、ＥＰＣ（進化型パケットコア（Evolved Packet Core））およびＮＧＣ（次世代コア）への接続性をサポートする。
【００１７】
ＮＲにおけるユーザプレーンプロトコルスタック（例えば非特許文献３の４．４．１節（参照により本明細書に組み込まれている）を参照）は、ＰＤＣＰ（パケットデータコンバージェンスプロトコル：Packet Data Convergence Protocol）サブレイヤ、ＲＬＣ（無線リンク制御：Radio Link Control）サブレイヤ、およびＭＡＣ（媒体アクセス制御：Medium Access Control）サブレイヤを含み、これらのサブレイヤは、ネットワーク側ではｇＮＢにおいて終端する。これに加えて、ＰＤＣＰの上に、アクセス層（ＡＳ）の新しいサブレイヤ（ＳＤＡＰ：サービスデータアダプテーションプロトコル：Service Data Adaptation Protocol）が導入される（例えば非特許文献３の６．５節（参照により本明細書に組み込まれている）を参照）。ＮＲにおける制御プレーンプロトコルスタックに関するさらなる情報については、例えば非特許文献３の４．４．２節を参照されたい。レイヤ２の機能の概要は、非特許文献３の６節に記載されている。ＰＤＣＰサブレイヤ、ＲＬＣサブレイヤ、およびＭＡＣサブレイヤの機能は、それぞれ非特許文献３の６．４節、６．３節、および６．２節にリストされている。ＲＲＣレイヤの機能は、非特許文献３の７節にリストされている。非特許文献３の上に挙げた節は、参照により本明細書に組み込まれている。
【００１８】
５Ｇシステム用に例示的に想定されているＮＲの新しいレイヤ（層）は、ＬＴＥ（−Ａ）通信システムにおいて現在使用されているユーザプレーンのレイヤ（層）構造に基づくことができる。
【００１９】
ＮＲのユースケース／配置シナリオとしては、拡張モバイルブロードバンド（ｅＭＢＢ）、超高信頼・低遅延通信（ＵＲＬＬＣ）、大規模マシンタイプ通信（ｍＭＴＣ）が挙げられ、これらのサービスは、データレート、レイテンシ、およびカバレッジに関する要件が多様である。例えばｅＭＢＢでは、ＩＭＴ−Ａｄｖａｎｃｅｄによって提供される値の３倍のオーダーのピークデータレート（ダウンリンクが２０Ｇｂｐｓ、アップリンクが１０Ｇｂｐｓ）およびユーザ側で実感されるデータレートがサポートされることが期待される。一方でＵＲＬＬＣの場合には、厳しい要件として、極めて低いレイテンシ（ユーザプレーンのレイテンシについてはアップリンクおよびダウンリンクそれぞれが０．５ｍｓ）および高い信頼性（１ｍｓ以内で１〜１０−５）が課せられる。さらにｍＭＴＣでは、高い接続密度（都市環境では１ｋｍ２あたり１，０００，０００個のデバイス）、過酷な環境における広いカバレッジ、デバイスコストを下げるための極めて長寿命のバッテリ（１５年）が好ましくは要求されうる。
【００２０】
したがって、あるユースケースに適したＯＦＤＭのヌメロロジー（numerology）（例：サブキャリア間隔、ＯＦＤＭシンボル持続時間、サイクリックプレフィックス（ＣＰ）持続時間、スケジューリング間隔あたりのシンボル数）が、別のユースケースではうまく機能しないことがある。例えば、低レイテンシのサービスでは、ｍＭＴＣサービスよりも短いシンボル持続時間（したがってより大きいサブキャリア間隔）、および／または、スケジューリング間隔（ＴＴＩとも称される）あたりの少ないシンボル、が好ましくは要求されうる。さらには、チャネルの遅延スプレッドが大きい配置シナリオでは、遅延スプレッドが短いシナリオよりも長いサイクリックプレフィックス（ＣＰ）持続時間が好ましくは要求されうる。同程度のサイクリックプレフィックス（ＣＰ）オーバーヘッドを維持するため、遅延スプレッドに応じてサブキャリア間隔を最適化するべきである。ＮＲでは、サブキャリア間隔の２つ以上の値がサポートされうる。したがって現在のところ、１５ｋＨｚ、３０ｋＨｚ、６０ｋＨｚ、．．．のサブキャリア間隔が検討されている。シンボル持続時間Ｔｕおよびサブキャリア間隔Δｆは、式Δｆ＝１／Ｔｕにより、直接関係している。ＬＴＥシステムの場合と同様に、１個のＯＦＤＭ／ＳＣ−ＦＤＭＡシンボルの長さに対する１つのサブキャリアから構成される最小リソース単位を表すのに、用語「リソースエレメント」を使用することができる。
【００２１】
新しい無線システム５Ｇ−ＮＲでは、各ヌメロロジーおよびキャリアごとに、アップリンクおよびダウンリンクそれぞれにおいて、サブキャリアとＯＦＤＭシンボルのリソースグリッドが定義される。リソースグリッド内の各要素は、リソースエレメントと呼ばれ、周波数領域における周波数インデックスと時間領域におけるシンボル位置とに基づいて識別される。非特許文献５（参照により本明細書に組み込まれている）から明らかであるように、いくつかの定義はすでに合意されている。
【００２２】
［制御シグナリング／ＰＤＣＣＨ／ＤＣＩ／サーチスペース］
５Ｇ  ＮＲにおけるＤＣＩ（ダウンリンク制御情報）の主たる目的は、ＬＴＥにおけるＤＣＩと同じであり、すなわちダウンリンクデータチャネル（例：ＰＤＳＣＨ）またはアップリンクデータチャネル（例：ＰＵＳＣＨ）をスケジューリングする特殊な情報セットである。５Ｇ  ＮＲには、複数の異なるＤＣＩフォーマットが定義されている（例えば非特許文献６の７．３．１節（参照により本明細書に組み込まれている）を参照）。概要を次の表に示す。
【表１】
2022501856.tif 000003
【００２３】
ＰＤＣＣＨサーチスペースは、ＰＤＣＣＨ（ＤＣＩ）を伝えることのできる、ダウンリンクリソースグリッド（時間−周波数リソース）内の領域である。概略的には、基地局は、ダウンリンクで１基または複数のＵＥに制御情報を送信するために無線リソース領域を使用する。ＵＥは、サーチスペース全体にわたりブラインド復号を実行して、ＰＤＣＣＨデータ（ＤＣＩ）の検出を試みる。５Ｇ  ＮＲにおけるサーチスペースのコンセプトは、概念的にはＬＴＥのサーチスペースに似ているが、細部に関しては多くの違いが存在する。
【００２４】
ＵＥは、ＰＤＣＣＨ（ＤＣＩ）を復号することができるように、例えば位置（ＣＣＥインデックス）、構造（アグリゲーションレベル、インターリービングなど）、およびスクランブリングコード（ＲＮＴＩ）などの正確な値を認識する。しかしながらこれらの情報は一般には事前にＵＥに通知されず、ほとんどの場合、これらの値は動的に変化する。唯一ＵＥに既知であるのは、ＰＤＣＣＨ（ＤＣＩ）を伝えている可能性のある１つまたは複数の特定のリソース領域（サーチスペース）に関する情報である。ＵＥは、これらのリソース領域について、事前定義される規則またはシグナリングメッセージによって認識する。これらのサーチスペース内では、ＵＥは試行錯誤法に基づき、多くの異なる種類のパラメータ（ＣＣＥインデックス、アグリゲーションレベル、ＲＮＴＩ）を用いてＰＤＣＣＨ／ＤＣＩの復号を試みなければならず、この復号方法は「ブラインド復号」と呼ばれる。ＵＥがブラインド復号を実行する事前定義される領域は、この技術分野においては「サーチスペース」と呼ばれる。
【００２５】
「ＵＥ固有サーチスペース」および「共通サーチスペース」と呼ばれる２種類のサーチスペースが存在する。ＵＥ固有サーチスペース（例えば専用サーチスペースと呼ばれることもある）は、例えばＲＲＣシグナリングメッセージを介してＵＥに通知される。結果として専用サーチスペースは、そのＵＥによって監視されるが、無線セル内の他のＵＥによっては監視されない。したがってＵＥは、ＲＲＣの確立を実行し、ＵＥ固有サーチスペースに関する情報を取得する。
【００２６】
しかしながら、ＵＥがＲＲＣの確立を完了する前であっても、いくつかのＰＤＣＣＨを復号することを容易にする目的で、例えばＵＥは、ＲＡＣＨプロセス中にＳＩＢ１を受信するためのＰＤＣＣＨまたはさまざまなＤＣＩ（ＰＤＣＣＨ）を検出することができる（例：メッセージ２／メッセージ４を受信するためのＤＣＩ）。この種類の状況および別の状況においては、ネットワーク（ｇＮＢ）は、（ＲＲＣシグナリングを介さずに）例えば事前定義されるアルゴリズムによってＵＥが認識することのできる特殊な無線リソース領域において、ＰＤＣＣＨを送信する。この特殊なリソース領域は、例えば共通サーチスペースと呼ばれ、したがってすべてのＵＥによって取得することができる。
【００２７】
サーチスペースおよびＰＤＣＣＨを使用して制御情報を受信するためのＵＥの手順は、非特許文献７に記載されている。次の表に例示的にリストされているように、さまざまなサーチスペースのタイプと、さまざまな経路の場合のさまざまな識別子の対応する用途が存在する。
【表２】
2022501856.tif 000004
【００２８】
ＲＮＴＩ（無線ネットワーク一時識別子（Radio Network Temporary Identifier）を表す）は、識別番号であり、基本的に、ＬＴＥからすでに公知であるコンセプトと同じコンセプトに依存する。上の表から明らかであるように、５Ｇ−ＮＲ通信システムにおいてさまざまな目的に使用することのできる数多くの異なるＲＮＴＩが存在する。異なるＤＣＩ（すなわち異なるフォーマットのＤＣＩ）は、一般に異なるＲＮＴＩによってスクランブルされる（より具体的にはＤＣＩのＣＲＣ部分）。ＣＲＣ（巡回冗長検査）部分とは誤り訂正符号として理解される。例えば、Ｐ−ＲＮＴＩ（ページングＲＮＴＩ（Paging RNTI））は、ページングメッセージに使用される。ＳＩ−ＲＮＴＩ（システム情報ＲＮＴＩ（System Information RNTI））は、ＳＩＢ（システム情報ブロックメッセージ）の送信に使用される。ＳＦＩ−ＲＮＴＩ（スロットフォーマットインジケータＲＮＴＩ（Slot-Format-Indicator-RNTI））は、スロット内のＯＦＤＭシンボルがダウンリンクかアップリンクかフレキシブルかをＵＥに通知する目的でＤＣＩフォーマット２＿０と組み合わせて使用される。ＩＮＴ−ＲＮＴＩ（中断送信指示ＲＮＴＩ（Interrupted Transmission Indication-RNTI））は、ＵＥが自身宛の送信が存在しないものと想定することのできるＰＲＢまたはＯＦＤＭシンボルをＵＥに通知する目的でＤＣＩフォーマット２＿１と組み合わせて使用される。Ｃ−ＲＮＴＩ（セルＲＮＴＩ（Cell RNTI））は、一般に特定のＵＥへの送信に使用される。ＣＳ−ＲＮＴＩ（設定済みスケジューリングＲＮＴＩ（Configured Scheduling RNTI））は、設定済みスケジューリングリソース割当ての一部として５Ｇにおいて使用され、これによりＲＲＣがＣＳグラントの周期をＣＳ−ＲＮＴＩを使用して定義することが可能になり、したがってＲＲＣによって定義される周期に従ってリソースを暗黙的に再利用することができる。次の表は、ＵＥとｇＮＢとの間の通信において使用することのできるさまざまな識別子の概要を示している（非特許文献８（参照により本明細書に組み込まれている）を参照）。
【表３】
2022501856.tif 000005
【００２９】
［同期信号ブロック測定タイミング設定（ＳＭＴＣ）：  ＰＳＳ／ＳＳＳ，ＰＢＣＨ］
ＮＲでは、いわゆる同期信号ブロック（ＳＳブロック（ＳＳＢ））が導入されており、同期信号ブロック（ＳＳＢ）は、プライマリ同期信号（ＰＳＳ）、セカンダリ同期信号（ＳＳＳ）、および物理ブロードキャストチャネル（ＰＢＣＨ）を含む。ＰＳＳおよびＳＳＳは、ネットワークを検出する、ネットワークに同期する、およびネットワークを識別する目的で、ＵＥによって使用することができる。ＰＢＣＨは、残りのブロードキャストシステム情報が送信される場所の指示情報を含む最小量のシステム情報を伝える。
【００３０】
ＬＴＥでは、これら３つの信号ＰＳＳ、ＳＳＳ、およびＰＢＣＨも使用されたが、１つのＳＳＢの一部としてではない。ＮＲでは、ＳＳＢのこれら３つの構成要素は常に一緒に送信され、例えばこれらは同じ周期を有する。所与のＳＳＢをＳＳバーストセット内で繰り返すことができ、ＳＳバーストセットをｇＮＢビームスウィーピング送信（gNB beam-sweeping transmission）において利用できる可能性がある。ＳＳバーストセットは、特定の期間（５ｍｓの窓など）に限定することができる。最初のセル選択では、ＵＥはＳＳバーストセットの２０ｍｓのデフォルト周期を想定することができる。
【００３１】
５Ｇ  ＮＲのＰＳＳは、無線フレーム境界を識別するための物理層に固有の信号であり、ｍ系列のタイプである。ＮＲ−ＰＳＳは、特に、１２７値のｍ系列であり、システム帯域幅の下端付近の１２７個のアクティブなサブキャリアにマッピングされている（例えば非特許文献５の７．４．２節（参照により本明細書に組み込まれている）を参照）。５ｇ＿ＮＲのＳＳＳも、サブフレーム境界を識別するための物理層に固有の信号であり、同様にｍ系列である。ＮＲ−ＳＳＳは、特に、１２７値のｍ系列であり、システム帯域幅の下端付近の１２７個のアクティブなサブキャリアにマッピングされている（例えば非特許文献５の７．４．２節（参照により本明細書に組み込まれている）を参照）。
【００３２】
［５Ｇ  ＮＲにおけるアップリンク制御情報］
ダウンリンク制御情報がＰＤＣＣＨによって伝えられる（上の説明を参照）のに対して、アップリンク制御情報（ＵＣＩ：Uplink Control Information）は、状況に応じてＰＵＣＣＨまたはＰＵＳＣＨで送信することができる。アップリンク制御情報は、チャネル状態情報（ＣＳＩ）、ＡＣＫ／ＮＡＣＫ情報、スケジューリング要求とすることができる。これらのすべてを１回のＰＵＣＣＨ送信によって伝える必要はない。例えば、ＣＳＩを単独で伝えることができる、またはＡＣＫ／ＮＡＣＫを単独で伝えることができる、またはＳＲを単独で伝えることができる、あるいはＣＳＩとＡＣＫ／ＮＡＣＫがＰＵＣＣＨにおいて一緒に送信される、などである。
【００３３】
ＵＣＩを送信するために使用することのできる複数の異なるＰＵＣＣＨフォーマットが存在し、現在、５つのＰＵＣＣＨフォーマット（０〜４）が存在する。これらのフォーマットのうちの２つ（０および２）は、場合によってはショートＰＵＣＣＨフォーマットと称され、なぜならこれらのフォーマットは最大で２個のＯＦＤＭシンボルを占有するためである。多くの場合、スロット内の最後の１個または２個のＯＦＤＭシンボルは、ＰＵＣＣＨ送信用に（例えばダウンリンクデータ送信に対するハイブリッドＡＲＱ確認応答（ＡＣＫ／ＮＡＣＫ）を送信する目的に）使用される。
【００３４】
フォーマットのうちの３つ（１，３，４）は、場合によってはロングＰＵＣＣＨフォーマットと称され、なぜならこれらのフォーマットは４〜１４個のＯＦＤＭシンボルを占有するためである。前の２つのフォーマットよりも長い持続時間を有する理由は、カバレッジである。１個または２個のＯＦＤＭシンボルの持続時間によって、高い信頼性で受信するための十分な受信エネルギが提供されない場合、より長い持続時間が必要であり、ロングＰＵＣＣＨフォーマットの１つを使用することができる。
【００３５】
どのＰＵＣＣＨフォーマットが使用されるかは、次の表に例示的に示したように、例えば、送信するべきＵＣＩのビット数と、使用することのできるシンボルの数（ＰＵＣＣＨの持続時間）とに基づいて決定することができる（例えば非特許文献５の６．３．２節（参照により本明細書に組み込まれている）を参照）。
【表４】
2022501856.tif 000006
【００３６】
特定かつ例示的な実装形態によれば、最大２個のＵＣＩビットのショートＰＵＣＣＨフォーマット０は、シーケンス選択（sequence selection）に基づき、その一方で、３個以上のＵＣＩビットのショートＰＵＣＣＨフォーマット２は、ＵＣＩおよびＤＭＲＳを周波数多重化する。ロングＰＵＣＣＨフォーマットは、ＵＣＩおよびＤＭＲＳを時間多重化する。ロングＰＵＣＣＨフォーマットと、２個のシンボルの持続時間のショートＰＵＣＣＨフォーマットは、周波数ホッピングをサポートする。ロングＰＵＣＣＨフォーマットは、複数のスロットにわたり繰り返すことができる（例えば非特許文献３の５．３．３節（参照により本明細書に組み込まれている）を参照）。
【００３７】
ＵＣＩは、具体的に割り当てられる無線リソース（例：ＰＵＣＣＨリソースセット）を使用して時間領域および周波数領域において柔軟にＰＵＣＣＨで送信することができる。ＵＥには、最大で４つのＰＵＣＣＨリソースセットを設定することができ、ＰＵＣＣＨリソースセットにはＰＵＣＣＨリソースセットインデックスが関連付けられる。ＰＵＣＣＨリソースセットは、特に、少なくとも４つのＰＵＣＣＨリソース設定を含み、各リソース設定には、使用するＰＵＣＣＨフォーマットと、そのフォーマットに必要なすべての送信パラメータが含まれる。このようなリソースの設定は、例えばＲＲＣプロトコル層のさまざまな情報要素（ＰＵＣＣＨ設定（PUCCH-Config）情報要素など）によって行うことができる（例えば非特許文献９の６．３．２節など（参照により本明細書に組み込まれている）を参照）。
【００３８】
上述したように、ＵＥに対して最大４つのＰＵＣＣＨリソースセットを設定することができ、各ＰＵＣＣＨリソースセットが、送信するＵＣＩフィードバックの特定の範囲に対応する。例えば、ＰＵＣＣＨリソースセット０は、最大２ビットのＵＣＩペイロードを扱うことができ、したがってＰＵＣＣＨフォーマット０および１のみを含むのに対し、残りのＰＵＣＣＨリソースセットは、フォーマット０および１を除く任意のＰＵＣＣＨフォーマットを含むことができる。
【００３９】
現時点におけるＰＵＣＣＨでのＵＣＩの報告は、非特許文献７の９．２節（参照により本明細書に組み込まれている）に定義されている。
【００４０】
ＰＵＣＣＨリソースは、以下のパラメータの１つまたは複数を含むことができる。
・  ＰＵＣＣＨリソースインデックス
・  周波数ホッピングの前、および周波数ホッピングが行われない場合の最初のＰＲＢ（物理リソースブロック）のインデックス
・  周波数ホッピングの後の最初のＰＲＢのインデックス
・  スロット内周波数ホッピングの指示情報
・  ＰＵＣＣＨフォーマットの設定
【００４１】
ＰＵＣＣＨリソースは、各ＵＥに対して異なるように、ｇＮＢによって割り当てられる。ＵＥは、事前に設定されたＰＵＣＣＨリソースを、ｇＮＢの調整なしに使用する。異なるＰＵＣＣＨリソースをＵＥに割り当てることによって、互いの衝突や干渉が発生することなくＵＥがこれらのリソースを同時に使用できることが保証される。
【００４２】
ＰＵＣＣＨを使用してのスケジューリング要求の送信は、非特許文献７の９．２．４節（参照により本明細書に組み込まれている）に定義されている。ＵＥには、スケジューリング要求（ＳＲ）を送信するために使用するべきスケジューリング要求無線リソースを決定するための特定のパラメータが設定される。例えば、ＳＲの送信の周期およびオフセットが定義され、これらの周期およびオフセットを使用して、設定されている（１つまたは複数の）ＰＵＣＣＨリソースセットに基づいてＳＲ送信機会のスロット番号および／またはフレーム番号を決定する。
【００４３】
この点において、このようなＳＲリソースの設定は、例えばＲＲＣプロトコル層のさまざまな情報要素（SchedulingRequestConfig情報要素およびSchedulingRequestResourceConfig情報要素）によって行うことができる（例えば非特許文献９の６．３．２節など（参照により本明細書に組み込まれている）を参照）。
【００４４】
［ＮＲアンライセンス］
ＬＴＥをアンライセンスバンドに拡張する理由は、ライセンスバンドの量が限られていることに加えて、無線ブロードバンドデータの需要がますます成長しているためである。したがってアンライセンス周波数帯は、携帯電話事業者が自社のサービス提供を拡大するための補足的な手段とみなす傾向が強まっている。Ｗｉ−Ｆｉなどの他の無線アクセス技術（ＲＡＴ）に頼ることと比較したとき、アンライセンスバンドにおけるＬＴＥの利点として、事業者およびベンダーは、アンライセンス周波数帯へのアクセスによってＬＴＥプラットフォームを補足することによって、無線・コアネットワークのＬＴＥ／ＥＰＣハードウェアにおける既存の投資および今後の投資を活用することができる。
【００４５】
しかしながら、アンライセンス周波数帯へのアクセスは、必然的にアンライセンス周波数帯におけるＷｉ−Ｆｉなどの他の無線アクセス技術（ＲＡＴ）と共存することになるため、ライセンス周波数帯アクセスの品質には絶対に匹敵し得ないことを考慮しなければならない。したがって、アンライセンスバンドでのＬＴＥの運用は、少なくとも最初は、アンライセンス周波数帯での単独の運用ではなく、ライセンス周波数帯でのＬＴＥの補足とみなされていた。この想定に基づき３ＧＰＰは、少なくとも１つのライセンスバンドと併用してアンライセンスバンドでＬＴＥを運用することに対して、ライセンス補助アクセス（ＬＡＡ：Licensed Assisted Access）という用語を確立した。ただし将来におけるアンライセンス周波数帯でのＬＴＥのスタンドアロン（単独）運用（すなわちライセンスセルによって支援されない）が排除されるものではなく、現在では５Ｇ  ＮＲにおいて、そのようなスタンドアロンのアンライセンス運用が予測されている。
【００４６】
３ＧＰＰにおいて現在意図されている一般的なＬＡＡの方法は、すでに策定されているリリース１２のキャリアアグリゲーション（ＣＡ）の枠組みを最大限に利用することであり、キャリアアグリゲーション（ＣＡ）の枠組みの構成は、前述したように、いわゆるプライマリセル（ＰＣｅｌｌ）キャリアと、１つまたは複数のセカンダリセル（ＳＣｅｌｌ）キャリアを含む。キャリアアグリゲーション（ＣＡ）では、一般的に、セルのセルフスケジューリング（スケジューリング情報とユーザデータとが同じコンポーネントキャリアで送信される）と、セル間のクロスキャリアスケジューリング（ＰＤＣＣＨ／ＥＰＤＣＣＨによるスケジューリング情報と、ＰＤＳＣＨ／ＰＵＳＣＨによるユーザデータが、異なるコンポーネントキャリアで送信される）の両方がサポートされる。
【００４７】
アンライセンスバンドの使用も、新しい５Ｇ−ＮＲ開発における１つの重要な課題になっている。ＮＲライセンスの設計を基準として使用することができ、以下のようなさらなる配置シナリオを考慮することができる。
・  ＬＴＥ  ＬＡＡに類似する、ＮＲライセンスセル（例：ＰＣｅｌｌ）とＮＲアンライセンスセル（例：ＳＣｅｌｌ）との間のキャリアアグリゲーション
・  （ＬＴＥおよびＮＲとの）二重接続。ＥＮＵ−ＤＣでは、マスタｅＮＢがライセンス周波数帯で動作し、セカンダリｇＮＢがアンライセンス周波数帯で動作する。ＮＮＵ−ＤＣでは、マスタＮＢがライセンス周波数帯で動作し、セカンダリｇＮＢがアンライセンス周波数帯で動作する。
・  スタンドアロン（ＳＡ）。ＮＲ−Ｕ  ＳＡでは、スタンドアロンＮＲ  ＰＣｅｌｌがアンライセンス周波数帯で動作する
・  ダウンリンクがアンライセンスバンド、アップリンクがライセンスバンドであるＮＲ無線セル
【００４８】
ＮＲでは、アンライセンスキャリアに対してリッスンビフォアトークを実行する。特に、送信側エンティティがＬＢＴを実行し、空きチャネル判定（ＣＣＡ）に成功した後にのみチャネル占有が許可される。
【００４９】
図３は、極めて単純なシナリオを示しており、ライセンスＰＣｅｌｌと、ライセンスＳＣｅｌｌ  １と、さまざまなアンライセンスＳＣｅｌｌ  ２，３，４（例示的にスモールセルとして描いてある）とが存在する。アンライセンスＳＣｅｌｌ  ２，３，４の送信／受信ネットワークノードは、ｅＮＢによって管理される遠隔無線ヘッドとする、またはネットワークにアタッチされているがｅＮＢによって管理されないノードとすることができる。簡潔さのため、これらのノードからｅＮＢまたはネットワークへの接続は、図に明示的には示していない。さらに、アンライセンス無線セル５は、アンライセンス周波数帯で動作するＮＲ  ＰＣｅｌｌのスタンドアロンシナリオを示している。
【００５０】
最も重要な課題の１つは、これらのアンライセンスバンドで動作するＷｉ−Ｆｉ（ＩＥＥＥ  ８０２．１１）システムとの共存である。ＬＴＥと、５Ｇ  ＮＲと、Ｗｉ−Ｆｉなど他の技術との間の公平な共存をサポートすると同時に、同じアンライセンスバンドにおける複数の異なる事業者間の公平性を保証する目的で、アンライセンスバンドにおけるチャネルアクセスでは、地理的領域および特定の周波数帯に応じて一部が異なりうる特定の一連の規制規則に従わなければならない（例えば非特許文献１０を参照）。ＬＡＡの手順および５Ｇ  ＮＲの手順を設計するときに考慮しなければならない規制要件には、地域および帯域によって異なるが、動的周波数選択（ＤＦＳ：Dynamic Frequency Selection）、送信電力制御（ＴＰＣ：Transmit Power Control）、リッスンビフォアトーク（ＬＢＴ：Listen Before Talk）、限られた最大送信時間長（チャネル占有時間またはチャネル取得時間とも称される）を有する不連続送信、が含まれる。国際的な単一の枠組みを目標とすることができ、すなわち基本的には、システムを設計する場合、さまざまな地域および５ＧＨｚ帯域に関するすべての要件を考慮しなければならない。
【００５１】
装置がチャネルを使用する前に空きチャネル判定（ＣＣＡ）チェックを適用するためのメカニズムとして、リッスンビフォアトーク（ＬＢＴ）手順が定義されている。例示的な一実装形態によれば、空きチャネル判定（ＣＣＡ）では、チャネルが占有されているか空いているかを判定する目的で、少なくともエネルギの検出を利用して、アンライセンスチャネル上に別の信号が存在している、または存在していないことを判定する。例えば欧州および日本の規制では、アンライセンスバンドにおいてリッスンビフォアトーク（ＬＢＴ）を使用することが要求される。このようにＬＢＴを介してキャリアを検出することは、規制上の要件であることとは別に、アンライセンス周波数帯を公平に共有するための１つの方法であり、したがってＬＢＴは、１つのグローバルな解決策の枠組みの中でのアンライセンス周波数帯における公平かつ友好的な運用のために不可欠な機能であると考えられる。
【００５２】
アンライセンス周波数帯では、チャネルの可用性をつねに保証することはできない。これに加えて、欧州および日本などの特定の地域では、連続的な送信が禁止されており、アンライセンス周波数帯における送信バーストの最大持続時間に対して制限が課されている（最大チャネル占有期間）。したがって、送信の最大持続時間が限られた不連続送信は、ＬＡＡおよび５Ｇ  ＮＲにおける機能である。
【００５３】
装置は、無線チャネルをデータ送信によって占有する前に、ＬＢＴに関するこの欧州の規制に従って、空きチャネル判定（ＣＣＡ）を実行しなければならない。このような制約された例示的なシナリオにおいては、例えばエネルギ検出に基づいてチャネルが空きとして検出された後にのみ、アンライセンスチャネルでの送信を開始することが許可される。装置は、特に、ＣＣＡ中に特定の最小時間（例えば欧州では２０μｓ、非特許文献１１の４．８．３節を参照）にわたりチャネルを監視しなければならない。検出されたエネルギレベルが、設定されているＣＣＡしきい値（例えば欧州では−７３ｄＢｍ／ＭＨｚ、非特許文献１１の４．８．３節を参照）を超える場合、チャネルは占有されているとみなされ、逆に、検出された電力レベルが、設定されているＣＣＡしきい値より低い場合、チャネルは空いているとみなされる。チャネルが占有されていると判定される場合、次の一定のフレーム期間（Fixed Frame Period）の間、装置はそのチャネルで送信しない。チャネルが空いているものと分類される場合、装置はただちに送信することが許可される。送信の最大持続時間は、同じ帯域で動作する他の装置との公平なリソース共有を促進する目的で、制限される。
【００５４】
空きチャネル判定（ＣＣＡ）は繰り返し実行することができ、オプションとして間にバックオフ時間をはさむ。
【００５５】
ＣＣＡにおけるエネルギ検出は、チャネル帯域幅全体（例えば５ＧＨｚのアンライセンスバンドにおいて２０ＭＨｚ）にわたり実行することができ、すなわち、そのチャネル内のＬＴＥ  ＯＦＤＭシンボルのすべてのサブキャリアの受信電力レベルの総和が、ＣＣＡを実行した装置において評価されるエネルギレベルである。
【００５６】
さらに、装置が、所与のキャリアが利用できることを再評価する（すなわちＬＢＴ／ＣＣＡ）ことなく、そのキャリアでの送信を有する合計時間は、チャネル占有時間（Channel Occupancy Time）として定義されている（例えば非特許文献１１の４．８．３．１節を参照）。チャネル占有時間は、１ｍｓ〜１０ｍｓの範囲内であり、最大チャネル占有時間は、欧州において現在定義されているように例えば４ｍｓとすることができる。さらに、アンライセンスセルで送信した後にＵＥに送信が許可されない最小アイドル時間も存在し、最小アイドル時間は、チャネル占有時間の少なくとも５％である。ＵＥは、アイドル期間が終わる少し前に、例えば新たなＣＣＡを実行することができる。
【００５７】
さらに、別のエンティティによる信号を受信した後の、共有されるチャネル占有時間（ＣＯＴ）の一部としての特定の期間の間は（例：１６マイクロ秒以内）、ＣＣＡが必要ないことがある。例えば、共有されるｇＮＢ  ＣＯＴの範囲内でのＤＬからＵＬへの切替え、およびＵＬからＤＬへの切替えは、ＬＢＴを必要としない。
【００５８】
この送信挙動は図４に概略的に示してある（例えば非特許文献１１を参照）。
【００５９】
上に挙げたスタンドアロンシナリオは、特に課題を伴うものであり、なぜならネットワーク（ｇＮＢ）が、ライセンスキャリア（ＬＴＥにおけるライセンスＰＣｅｌｌキャリアなど）にまったく依存することなくＵＥと通信するためである。ＵＥへの唯一のチャネルは、ＬＢＴに成功することがアクセスするための要件の１つであるアンライセンスチャネルである。
【００６０】
したがってアンライセンス無線セルでの動作では、あらゆる送信機が上述したようにリッスンビフォアトークを実行する必要がある。このことは、ユーザ機器によるスケジューリング要求（一般には新しいアップリンク送信のための無線リソースを要求するために使用される）の送信にも適用される。例えば、定期的なバッファ状態報告がトリガーされて送信可能な状態にあるが、そのバッファ状態報告を送信するためのアップリンク無線リソースが利用可能ではないとき、ＵＥは、スケジューリング要求を送信することにより、基地局からのアップリンク無線リソースを要求することができる。
【００６１】
スケジューリング要求は、基本的には、基地局におけるアップリンクスケジューラからのアップリンクリソースを要求する目的でユーザ機器によってセットされるフラグである。リソースを要求する装置はＰＵＳＣＨリソースを有さないため、スケジューリング要求は、ＵＥに専用の事前に設定された周期的に現れるＰＵＣＣＨリソースを使用して、ＰＵＣＣＨで送信される。したがってサービング基地局は、無線リソースをユーザ機器に割り当てることができる。
【００６２】
５Ｇ  ＮＲでは、ＬＴＥとは異なり、単一の装置からの複数のスケジューリング要求の設定がサポートされる。論理チャネルを、０個または１つ以上のスケジューリング要求設定にマッピングすることができる。これにより、装置内で送信を待機している状態のデータが存在するという情報のみならず、送信を待機しているデータのタイプも、ｇＮＢに提供される。５Ｇ  ＮＲによってサポートされるさまざまなトラフィックタイプを考慮するｇＮＢにとって、これらは有用な情報である。例えばｇＮＢは、レイテンシの影響が小さい情報ではなくレイテンシの影響が大きい情報を送信できるように、ユーザ機器のスケジューリングを望むことがある。
【００６３】
レイテンシの影響が極めて大きいサービスをサポートするための１個おきのＯＦＤＭシンボルから、小さいオーバーヘッドを目的とする８０ｍｓ毎までを範囲とする周期を有する専用のＰＵＣＣＨスケジューリング要求用リソースを、各装置に割り当てることができる。一度に１つのスケジューリング要求のみを送信することができ、すなわち送信するデータを有する複数の論理チャネルの場合、デフォルトの挙動は、最も高い優先順位の論理チャネルに対応するスケジューリング要求をトリガーすることである。スケジューリング要求は、設定可能な限界まで、ｇＮＢからのグラントが受信されるまで、繰り返される以降のリソースにおいてのみ要求することができる。スケジューリング要求を送信できる頻度を制御する禁止（Prohibit）タイマーを設定することも可能である。複数のスケジューリング要求リソースの場合、これらの設定の両方がスケジューリング要求リソースごとに行われる。
【００６４】
これに対して、スケジューリング要求リソースが設定されていない装置は、リソースを要求するためにランダムアクセスメカニズムに頼ることができる。ランダムアクセスメカニズムは、リソースを要求するための競合ベースのメカニズムであり、セル内に多数の装置が存在しておりかつトラフィック強度（traffic intensity）（したがってスケジューリング強度）が低い状況に適している。
【００６５】
本発明者らは、アンライセンス無線セルでどのようにスケジューリング要求を送信するかに関連するいくつかの問題点を認識した。（ｅ）ＬＡＡでは、スケジューリング要求はアンライセンス周波数帯ではなくライセンス周波数帯で（例えばプライマリセルを使用して）送信される。したがってスケジューリング要求手順は、アンライセンス周波数帯で送信するときに課されるリッスンビフォアトーク要件によって影響されない。逆に、アンライセンス無線セルのスタンドアロン動作または二重接続のシナリオ（ＮＲにおけるアンライセンスおよび場合によってはＬＴＥにおけるアンライセンスなど）では、アンライセンスキャリアでのスケジューリング要求の送信がサポートされ、したがってスケジューリング要求の送信にはリッスンビフォアトーク要件が適用される。
【００６６】
前述したように、スケジューリング要求を送信するための現在定義されている１つのメカニズムは、一定のパターンのスケジューリング要求送信機会を提供する、事前に設定されるＰＵＣＣＨ無線リソースに基づく。しかしながら、これらのＳＲ送信機会は、ＵＥがアンライセンスキャリアを正常に取得できない（例えばＣＣＡに成功しなかった）場合には使用できないことがある。ＵＥは、次の利用可能なスケジューリング要求送信機会まで待機して、再びＣＣＡを実行しなければならない。これは著しい時間遅延につながることがあり、さらには、ＵＥがサポートしようとする遅延要件に従ったときに許容されないことがある。さらに、ＬＢＴの失敗に起因するスケジューリング要求の送信失敗に対して、ｇＮＢはこれを制御しないことに留意されたい。
【００６７】
本発明者らは、アンライセンス無線セルでスケジューリング要求を送信するための効率的なメカニズムを定義するニーズを認識した。
【００６８】
以下では、上記のニーズを満たすためのＵＥ、基地局、および手順について、５Ｇ移動通信システム用に考えられている新しい無線アクセス技術において説明するが、これらのＵＥ、基地局、および手順は、ＬＴＥ移動通信システムにおいて使用することもできる。複数の異なる実装形態およびバリエーションも説明する。以下の開示内容は、上述した検討事項および発見事項によって促進されたものであり、例えば少なくともその一部に基づくことができる。
【００６９】
しかしながら一般的には、本開示の基礎をなす原理を明確かつわかりやすく説明することができるように、以下では多くの想定が行われていることに留意されたい。しかしながら、これらの想定は、説明を目的として本明細書において行われた、本開示の範囲を制限することのない単なる例として理解されたい。当業者には、以下の開示の、請求項に記載されている原理を、さまざまなシナリオに、本明細書に明示的に説明されていない方法で適用できることが認識されるであろう。
【００７０】
さらには、次の３ＧＰＰ  ５Ｇ通信システムのための新しい無線アクセス技術に関連して使用される特定の専門用語が、たとえまだ完全に決定されていなくても、以下で使用されている、手順、エンティティ、レイヤ（層）などの用語のいくつかは、ＬＴＥ／ＬＴＥ−Ａシステムに、または３ＧＰＰ  ５Ｇの現在の標準化で使用されている専門用語に、密接に関係している。したがって用語は、今後変更されうるが、実施形態の機能・動作には影響しない。したがって、実施形態およびその保護範囲は、より新しいかまたは最終的に合意された専門用語が存在しない理由で本明細書において例示的に使用されている特定の用語に制限されるべきではなく、本開示の機能・動作および原理の基礎をなす機能およびコンセプトに関して広義に理解されるべきであることが、当業者には認識されるであろう。
【００７１】
例えば、「移動局（mobile station）」、「移動ノード（mobile node）」、「ユーザ端末（user terminal）」、または「ユーザ機器（ＵＥ）」は、通信ネットワーク内の物理エンティティ（物理ノード）である。１つのノードがいくつかの機能エンティティを有することができる。機能エンティティとは、所定の一連の機能を実施する、および／または、所定の一連の機能を同じノードもしくは別のノードまたはネットワークの別の機能エンティティに提供する、ソフトウェアモジュールまたはハードウェアモジュールを意味する。ノードは、それを通じて通信することのできる通信機器または通信媒体に自身をアタッチする１つまたは複数のインタフェースを有することができる。同様に、ネットワークエンティティは、それを通じて別の機能エンティティまたは通信相手ノードと通信することのできる通信機器または通信媒体に機能エンティティをアタッチする論理インタフェースを有することができる。
【００７２】
用語「基地局」または「無線基地局」は、本明細書においては、通信ネットワーク内の物理エンティティを意味する。基地局は、移動局と同様に、いくつかの機能エンティティを有することができる。機能エンティティとは、所定の一連の機能を実施する、および／または、所定の一連の機能を同じノードもしくは別のノードまたはネットワークの別の機能エンティティに提供する、ソフトウェアモジュールまたはハードウェアモジュールを意味する。物理エンティティは、通信装置に関連するいくつかの制御タスク（スケジューリングおよび設定の１つまたは複数を含む）を実行する。なお、基地局の機能および通信装置の機能を、１つの装置内に統合してもよいことに留意されたい。例えば、移動端末が、別の端末に対して基地局の機能をさらに実施してもよい。ＬＴＥにおいて使用されている専門用語はｅＮＢ（またはｅＮｏｄｅＢ）であるが、５Ｇ  ＮＲにおいて現時点で使用されている専門用語はｇＮＢである。
【００７３】
図５は、ユーザ機器（通信装置とも称する）およびスケジューリング装置（本明細書では例示的に基地局内、例えばｅＬＴＥ  ｅＮＢ（またはｎｇ−ｅＮＢとも称する）内もしくは５Ｇ  ＮＲにおけるｇＮＢ内に位置するものと想定する）の一般的な単純化した例示的なブロック図を示している。ＵＥとｅＮＢ／ｇＮＢは、それぞれ送受信機を使用して（無線）物理チャネルを通じて互いに通信する。
【００７４】
通信装置は、送受信機および処理回路を備えていることができる。送受信機は、受信機および送信機を備えている、または受信機および送信機として機能することができる。処理回路は、１つまたは複数のプロセッサまたは任意のＬＳＩなど、１つまたは複数のハードウェアとすることができる。送受信機と処理回路との間には入力／出力部（またはノード）が存在しており、処理回路は、動作時にこの入力／出力部を通じて送受信機を制御し（すなわち受信機および／または送信機を制御し）、受信／送信データを交換することができる。送信機および受信機としての送受信機は、１本または複数のアンテナ、増幅器、ＲＦ変調器／復調器などを含むＲＦ（無線周波数）フロントエンドを含むことができる。処理回路は、制御タスクを実施することができ、例えば、自身が提供するユーザデータおよび制御データを送信するように、および／または、自身がさらに処理するユーザデータおよび制御データを受信するように、送受信機を制御する。さらに処理回路は、判定する、決定する、計算する、測定するなどの他のプロセスを実行する役割を担うこともできる。送信機は、送信のプロセス、および送信に関連する他のプロセスを実行する役割を担うことができる。受信機は、受信のプロセス、および受信に関連する他のプロセス（チャネルを監視するなど）を実行する役割を担うことができる。
【００７５】
この場合、さまざまな実施形態およびそのバリエーションの以下の開示から明らかになるように、処理回路を、２つのＵＥグループＩＤが同じであるかを判定するステップを少なくとも部分的に実行するように例示的に構成することができる。さらに処理回路は、スケジューリング要求を送信するために使用できるスケジューリング要求無線リソースを決定するステップ、を少なくとも部分的に実行することができる。処理回路によって少なくとも部分的に実行することのできるさらに別のタスクは、ＤＣＩのＣＲＣを、複数の対応する識別子の１つを使用してデスクランブルする（descramble）ことである。
【００７６】
送信機は、前に決定された無線リソースを使用してスケジューリング要求を送信するステップ、を少なくとも部分的に実行するように構成することができる。
【００７７】
一方で受信機は、アップリンク設定情報およびダウンリンク制御情報を受信するステップ、を少なくとも部分的に実行することができるように構成することができる。
【００７８】
以下に提示する解決策は、アンライセンス動作（例：スタンドアロンまたは二重接続）における新しい５Ｇ  ＮＲの標準化、特に、スケジューリング要求を含むアップリンク制御情報がアンライセンスキャリアで送信されるシナリオに、主として適用される。
【００７９】
以下では、単純化されたＮＲアンライセンスシナリオを例示的に想定し、このシナリオの一例を図３に示してあり、図３は、ｇＮＢによってサーブされるＮＲアンライセンス無線セル５と、アンライセンス無線セル５内に位置している対応するＵＥ２とを示している。ＵＥ２は、アンライセンス周波数帯を介してアンライセンス無線セルのｇＮＢと通信している。図３には示していないが、アンライセンス無線セル５内に位置しておりアンライセンス周波数帯を介してアンライセンス無線セルのｇＮＢと通信している別のＵＥも存在するものと、さらに想定することができる。以下では、アンライセンス無線セル５内のＵＥによるアップリンク制御情報（ＵＣＩ）（例：スケジューリング要求）の改良された送信に関連する、さまざまな解決策を提示する。
【００８０】
図６は、提示する解決策による、単純化された例示的なＵＥの構造を示している。この図に示してあるＵＥのさまざまな構造要素は、例えば制御データやユーザデータ、その他の信号を交換する目的で、例えば対応する入力／出力ノード（図示していない）によって互いに相互接続することができる。説明を目的として図示していないが、ＵＥはさらなる構造要素を含むことができる。
【００８１】
この図から明らかなように、ＵＥは、以下に説明するようにアンライセンス無線セル内でスケジューリング要求を送信するための改良された手順に関与する目的で、設定受信機と、ＤＣＩ受信機と、ＵＥグループ判定器回路と、スケジューリング要求リソース決定器回路と、スケジューリング要求送信機とを含む。
【００８２】
スケジューリング要求（ＳＲ）を送信するための１つの例示的な手順について、図７、図８、および図９を参照しながら説明する。図７は、ＵＥ側で実行される処理シーケンスを示しており、図８は、ｇＮＢ側で実行される処理シーケンスを示しており、図９は、ＵＥとｇＮＢとの間の信号の交換を示している。
【００８３】
ｇＮＢは、利用可能なアップリンク無線リソースが複数の異なるリソースセットにどのように分配されるかを制御する。以下では、単純化された例示的な解決策に従って、それぞれが異なる（干渉しない）無線リソースを指す４つの異なるアップリンク無線リソースセット０〜３が、ｇＮＢによって定義されるものと想定する。異なるセットのアップリンク無線リソースを、例えば、周波数領域において周波数分割多重化する、または（例えばＯＯＣ（直交カバーコード：Orthogonal Cover Codes）もしくはシーケンスの異なるサイクリックシフトを使用して）符号分割多重化する、または（例えば時間単位としてＯＦＤＭシンボルに基づいて）時分割多重化することができる、または周波数分割、符号分割（ＣＤ）、時分割の任意の適切な組合せとすることができる。一例においては、セットの無線リソースの定義は、１回の送信機会における周波数領域および／または符号領域およびシンボル長に限定することができる。時間領域における送信機会は、アップリンク無線リソースの設定によってセットの無線リソースに対して明示的に指定されるのではなく、特定のＵＥグループを示す、ｇＮＢから受信されるメッセージ（例：ＤＣＩ）の受信によって決定される（後の説明を参照）。言い換えれば、ＳＲの送信を実行するタイミング（例：シンボル、スロット、サブフレーム）は、ＤＣＩの受信から導くことができる。
【００８４】
さらに、ｇＮＢは、ユーザ機器を複数の異なるＵＥグループにグループ分けするメカニズムをサポートする。１つの例示的なバリエーションにおいては、アンライセンス無線セル内のＵＥのグループ分けは、１つまたは複数の基準に基づいてｇＮＢによって実行することができる。例えばｇＮＢは、それぞれのＵＥによってサポートされるデータの優先順位に基づいて、ＵＥをグループ分けすることができる。結果として、例示的な一実装形態においては、１つのＵＥグループが高い優先順位のＵＥを含むことができ、これに対して別のＵＥグループが、低い優先順位のＵＥを含むことができる。
【００８５】
さらなる例によれば、ｇＮＢは、能力（ｅＭＢＢ通信、ＵＲＬＬＣ通信、およびＭＭＴＣ通信のサポートなど）に基づいて、ＵＥをグループ分けすることができる。
【００８６】
ＵＥは、ただ１つのＵＥグループの一部とすることができるが、ＵＥが２つ以上のＵＥグループに属していてもよい。例えば、ＵＥが２つ以上の用途シナリオ（ＵＲＬＬＣトラフィックおよびｅＭＢＢトラフィックなど）をサポートするとき、そのＵＥを、ＵＲＬＬＣ  ＵＥグループに割り当て、さらにｅＭＢＢ  ＵＥグループに割り当てることができる。
【００８７】
以下では、アップリンク無線リソースセットおよびＵＥグループの例示的な設定を想定し、次の表はこの想定を示している。
【表５】
2022501856.tif 000007
【００８８】
この表から明らかであるように、それぞれが４基のＵＥを含む３つのグループ（インデックス００，０１，１０）にグループ分けされた１２基のＵＥが存在するものと例示的に想定する。さらにｇＮＢによって、１つのグループ内のＵＥと、利用可能な異なるアップリンク無線リソースセット０〜３との間の関連付けが提供されている。例えば、１つのグループ内のＵＥには、それぞれ異なるアップリンク無線リソースセットが関連付けられており、これにより同じグループのＵＥの間では送信の衝突が起こらないことが促進される。
【００８９】
この例では、３つのみの異なるＵＥグループが存在しているものと想定しており、したがって３つのグループを区別するために２ビットのＵＥグループＩＤで十分である。なお、さらに多くのＵＥグループを区別する場合には、すべてのＵＥグループを区別することができるようにＵＥグループＩＤがより多くのビットを有することに留意されたい。
【００９０】
上の例示的なシナリオにおいては、ＵＥグループあたり４つの異なる無線リソースセットを想定した。これに対応して、各無線リソースセットがＵＥグループ内の１基のＵＥのみに利用可能であるようにするため、ＵＥグループは最大で４基の異なるＵＥを含むことができる。ｇＮＢによって定義される無線リソースセットは、３つ以下、または５つ以上であってもよい。したがってグループ内のＵＥの最大数は、異なるアップリンク無線リソースセットの数に依存し、例えば、ｇＮＢによって割り当てることのできる異なる無線リソースセットの数に等しくすることができる。これにより、ｇＮＢが特定のＵＥグループにＵＣＩ送信を許可しようとするとき、そのグループのさまざまなＵＥの間では、送信の実行時に衝突が起こらないことが保証される。
【００９１】
上の例示的な表から明らかであるように、同じ無線リソースセットが、さまざまなＵＥグループの間で共有されている（例えば、無線リソースセット０は、グループ００のＵＥ１、グループ０１のＵＥ５、およびグループ１０のＵＥ９に割り当てられて共有されている）。一方で、１つのＵＥグループの観点からは、無線リソースセットは、１基のみのＵＥに専用であり、したがってそれぞれのグループのＵＥの間で異なっている。
【００９２】
ＵＥには、アップリンク制御情報（スケジューリング要求、チャネル状態情報、またはＡＣＫ／ＮＡＣＫフィードバックなど）を送信するために使用することのできる少なくとも１つのアップリンク無線リソースセットが、ｇＮＢによって設定されている。さらには、その少なくとも１つのアップリンクリソースセットが関連付けられている少なくとも１つのＵＥグループＩＤが、ＵＥに通知される。
【００９３】
このＵＥにおいて定義されている、アップリンク無線リソースセットとＵＥグループＩＤとの間の関連付けは、次のように表すことができる（上の例示的に想定される、ｇＮＢによるアップリンク無線リソースの設定を参照）。
【表６】
2022501856.tif 000008
【００９４】
結果として、このＵＥには、アップリンク制御情報（スケジューリング要求など）を送信するときに使用することのできるアップリンク無線リソースが設定される。
【００９５】
しかしながら、例えばＬＴＥおよび５Ｇ  ＮＲのシナリオの文脈の中で上に説明したように、アンライセンス無線セルでの送信では、例えば空きチャネル判定（ＣＣＡ）の実行に成功することによって、最初に無線チャネルを取得する必要がありうる。したがって例示的な解決策では、この要件に準拠してアンライセンスキャリアでアップリンク制御情報（スケジューリング要求、またはＣＳＩ、またはＡＣＫ／ＮＡＣＫフィードバックなど）を送信するときにＵＥを支援して、ＵＥが自身で（成功裏に）ＣＣＡを実行しなくてよいことを効果的に可能にする追加のメカニズムを提供する。アンライセンスキャリアを取得するためにＵＥではなくｇＮＢがＣＣＡを実行し、次いでｇＮＢは、自身のアンライセンス無線セル内のＵＥの１基または複数が、取得されたアンライセンスチャネルを使用して、前に設定されているアップリンク無線リソースを使用してアップリンク情報を送信できるようにする。言い換えれば、ｇＮＢは自身のチャネル占有時間を共有し、したがってＵＥは、ｇＮＢのチャネル占有時間中にスケジューリング要求を送信する目的で、実際にはｇＮＢによって取得されたアンライセンスキャリアを使用することができる。一般的なチャネル占有時間は１ｍｓ〜１０ｍｓの範囲内であり、この時間の間、ｇＮＢは自身のセル内のＵＥにＳＲ送信機会を許可することができる。
【００９６】
この点においてｇＮＢは、最初に、ＣＣＡ（ＬＢＴ（リッスンビフォアトーク）の一部）を実行することによってアンライセンス無線セルのアンライセンスキャリアの取得を試みる。例えばアンライセンス周波数帯がその時点で別の装置（例：別のＵＥ、またはＷｉＦｉノード）によって使用されていないという理由で、ＣＣＡに成功し、したがってｇＮＢが無線チャネルを占有できるものと想定する。これによりｇＮＢは、上に詳しく説明したように特定の期間（チャネル占有時間）にわたりそのチャネルを使用することができ、このとき例えば、装置（ここではｇＮＢ）がアンライセンスキャリアの占有を許可される最大期間が存在しうる。
【００９７】
ｇＮＢは、アンライセンスキャリアを取得した後、どのＵＥ（または２基以上のＵＥ）にアップリンク送信機会を提供するべきかを決定することができ、この決定は、例えばさまざまな異なる基準に基づいてさまざまな方法で行うことができる。ｇＮＢによるこの決定は、例えばＵＥの優先順位またはＵＥの能力に基づくことができる。またはｇＮＢは、すべてのＵＥにアップリンク送信機会を連続的に提供することができ、したがってｇＮＢは前にどのＵＥ（または複数のＵＥ）にアップリンク送信機会を提供したかを考慮する。この点において、アップリンク送信機会の割当ては、例えば上述したＵＥのグループ分けに基づいて実行することができ、したがってｇＮＢは、１つのＵＥグループのＵＥにアンライセンス無線セルへのアクセスを許可するように決定できることにさらに留意されたい。したがってｇＮＢは、関連するＵＥグループＩＤを決定し、次いでそのＵＥグループＩＤを、ＵＥグループＩＤのＵＥによって受信されるように自身のアンライセンス無線セル内で送信する。
【００９８】
例えばｇＮＢは、選択したＵＥグループＩＤを示すために、自身の無線セル内でダウンリンク制御情報を送信し、この送信は、さまざまな異なる方法で行うことができる。例示的な一実装形態によれば、例えば１つの共通識別子（ＳＦＩ−ＲＮＴＩ、ＩＮＴ−ＲＮＴＩ、またはＳＩ−ＲＮＴＩなど）によってスクランブルされたダウンリンク制御情報を、ダウンリンク制御チャネルの共通サーチスペースにおいて送信することができる。さらなる代替形態として、（１基または複数の）ＵＥにＳＲ送信機会を提供するためのＤＣＩを送るときに使用される新規のＲＮＴＩ（例えばＳＲ−ＲＮＴＩ（スケジューリング要求ＲＮＴＩ）と称する）を、この目的のために定義することができる。ＵＥグループＩＤは、ＤＣＩの内容の一部（例えば特定のＵＥグループＩＤフィールドの中）とすることができる。すでに存在するＤＣＩフォーマット（ＤＣＩフォーマット２＿０または２＿１）を使用することができ、この場合、すでに利用可能なフィールドの１つを再利用してＵＥグループＩＤを伝えることができる。これに代えて、後からさらに詳しく説明するように、例えば少なくともＵＥグループＩＤフィールドと、場合によっては他のフィールド（スケジューリング要求無線リソースを追加的に示すフィールドなど）とを含む新規のＤＣＩフォーマットを、この目的のために定義することができる。
【００９９】
別の実装形態によれば、例えばＤＣＩのスクランブリングプロセスにＵＥグループＩＤを使用することによって、ＵＥグループＩＤがダウンリンク制御情報の中に暗黙的に符号化される。さらに詳しくは、ｇＮＢはＤＣＩのＣＲＣ部分をスクランブルする目的にＵＥグループＩＤを使用する。結果としてＵＥは、自身のＵＥグループＩＤに基づいて共通サーチスペースを監視することによって、ＤＣＩがそのＵＥグループＩＤを示しているものと判断することができる。受信されたＤＣＩに対してＵＥによって実行されるデスクランブリング動作は、正しいＵＥグループＩＤ（ｇＮＢがＤＣＩ（より具体的にはＤＣＩのＣＲＣ部分）をスクランブルするために使用したＵＥグループＩＤ）を使用するときにのみ、成功する。このスクランブリングプロセスにＵＥグループＩＤを使用できるようにするためには、ＵＥグループＩＤは、スクランブリングプロセスに一般的に使用される他のＲＮＴＩと同様に、例えば特定の長さを有する特定の形式である必要がありうる（非特許文献８と、現在「予約」と定義されている１６進値ＦＦＦ０〜ＦＦＦＤの１つを参照）。結果として、このような例示的なシナリオにおいては、ＵＥグループを区別する目的に、２ビットを有する上に想定した例示的なＵＥグループＩＤ（００，０１，１０）は使用可能ではないかもしれず、（必要なだけの）より多くのビットを有するビット列が使用される。
【０１００】
この形態の利点として、既存のＤＣＩフォーマットを使用することができ、ただしＤＣＩは、通常のＲＮＴＩとは異なるパラメータ（すなわちＵＥグループＩＤ）によってスクランブルされる。
【０１０１】
ダウンリンク制御チャネルの共通サーチスペースにおいてＤＣＩメッセージを送信するのではなく、ダウンリンク制御チャネルの専用サーチスペースにおいてＤＣＩメッセージを送信することができる。これに関連する専用サーチスペースとは、特定のＵＥに対して設定され、したがってその特定のＵＥのみによって監視されるものと理解することができる（これに対して共通サーチスペースは、無線セル内の複数またはすべてのＵＥによって監視される）。これに対応してＤＣＩは、そのＤＣＩが対象とするＵＥの専用ＵＥ識別子（Ｃ−ＲＮＴＩなど）を使用してスクランブルされる。
【０１０２】
このシナリオ（ｇＮＢが、あるグループのＵＥにアンライセンス無線セルへのアクセスを許可するように決定する）においては、専用ＤＣＩを使用してＵＥグループＩＤを伝えるとき、選択されたＵＥグループ内のすべてのＵＥに到達するようにいくつかの専用ＤＣＩを送信する必要がある。
【０１０３】
したがっていずれの場合にも、ＵＥはｇＮＢからダウンリンク制御情報メッセージを受信し、このメッセージからＵＥは、ｇＮＢによって選択されたＵＥグループＩＤを取得することができる。上述したように、ＵＥは、ｇＮＢがＤＣＩをどのように送信するかに応じて、共通サーチスペースまたは専用サーチスペースのいずれかにおいてＤＣＩを受信することができる。受信に伴ってＵＥは、特定の実装形態に応じてデスクランブリングプロセスのための特定の識別子を使用して、そのようなＤＣＩを対象としてそれぞれのサーチスペースを監視する。さらに、ＤＣＩからＵＥグループＩＤを取得する目的でどのプロセスをＵＥが実行しなければならないかは、そのＤＣＩメッセージが上述したように実際にどのように実施されているかによって決まる。例えば、ＵＥグループＩＤは、ＤＣＩの内容から取得することができる、またはＤＣＩに対してＵＥによって実行されるデスクランブリングプロセスから取得することができる。
【０１０４】
ＵＥは、（ｇＮＢによって選択された）受信したＵＥグループＩＤが、前に自身に設定されたＵＥグループＩＤと同じＩＤであるかを判定することができる。言い換えればＵＥは、例えばｇＮＢのチャネル占有時間（ＣＯＴ）の間にスケジューリング要求を送信する目的でアンライセンス無線セルにアクセスできるようにｇＮＢが選択したＵＥグループに、自身が属しているかを判定する。
【０１０５】
さらには、スケジューリング要求がＵＥにおいて実際に（例えばバッファ状態報告によって）トリガーされ、したがって送信可能な状態にあるものと例示的に想定する。逆に、送信可能な状態にあるスケジューリング要求が存在しない場合、ＵＥは、ｇＮＢによって提供される（より具体的にはＤＣＩおよび示されたＵＥグループＩＤによって通知される）ＳＲ送信機会を利用するステップに進む必要はない。この場合にＵＥは、ＤＣＩなどを受信する目的で監視さえも行わなくてよい。
【０１０６】
ＵＥは、２つのＵＥグループＩＤが同じであると判定する場合、次のステップとして、スケジューリング要求を送信するための無線リソースを決定する。ＳＲ無線リソースの決定は、例えば、前に設定されているアップリンク無線リソースに基づき、かつ受信したＤＣＩに基づく。上の例示的なシナリオを想定すると、ＵＥ１には、インデックス０の無線リソースセットが設定されている。スケジューリング要求を送信するための無線リソースは、この無線リソースセット０の無線リソース内である。
【０１０７】
無線リソースの時間領域値は、ＤＣＩの受信タイミングに基づいて決定される。
【０１０８】
次いでＵＥは、アンライセンス無線セルの、決定したスケジューリング要求無線リソースを使用して、スケジューリング要求を基地局に送信することができる。
【０１０９】
ＵＥは、たとえアンライセンス無線セルで送信を実行する場合でも、事前の空きチャネル判定（ＣＣＡ）を実行する必要がない。そのアンライセンス無線セルはｇＮＢによってすでに取得されており、したがってスケジューリング要求を送信する目的でＵＥによって使用することができる。図９から明らかであるように、ｇＮＢのチャネル占有時間（ＣＯＴ）は、ＵＥによってスケジューリング要求が送信された後に終了する。
【０１１０】
さらに、例示的な一実装形態においては、ＵＥは、ＵＥグループＩＤを有するＤＣＩを受信した後、ある短い期間（図９ではＣＣＡ不要期間と例示的に称している）内にスケジューリング要求を送信する。例えば、（ＤＣＩの）ダウンリンクとアップリンク（ＳＲの送信）との間のスイッチングギャップが、この短い期間（例：１６マイクロ秒）より小さいときには、ＵＥは最初にアンライセンス周波数帯を取得する目的でリッスンビフォアトークを実行する必要がない。言い換えれば、ＤＣＩの受信によって、ＵＥには、自身でのＣＣＡの実行を回避できるようにスケジューリング要求の送信を（特定の期間内に）ただちに実行するための時間トリガー（time trigger）が提供される。
【０１１１】
例えばＵＥは、設定されたＰＵＣＣＨリソースセットから、周波数リソース（例：ＵＥが使用することのできるＰＲＢ）と、ＰＵＣＣＨフォーマットおよびＤＣＩからのタイミングを取得し、したがってスケジューリング要求を送信するための必要な時間リソースおよび周波数リソースを決定する。
【０１１２】
ＵＥからスケジューリング要求がｇＮＢに通常に送信された後、手順は続く。例えばｇＮＢは、そのスケジューリング要求を処理することができ、新たなアップリンク送信用のさらなるアップリンクリソースをＵＥに割り当てる、または割り当てない。これらの手順は本出願の趣旨ではないため、図９には示していない。
【０１１３】
ｇＮＢは、自身のアンライセンス無線セル内のＵＥにスケジューリング要求機会を提供するとき、自身の決定に基づいて、例えば定期的に、またはＰＵＣＣＨリソースを割り当てるかどうかを現在の状況（チャネルの状態、輻輳、自身のセル内のＵＥの数、ＵＥのトラフィック量、ＵＥの優先度など）に従って動的に決定して、ＣＣＡを実行し、（ＵＥグループＩＤを有する）ＤＣＩを送信することができる。ある期間内の最大回数として、ＣＣＡを実行できる頻度に関する追加の要件が存在することがあり、この要件も地域／国によって異なりうる。例えばｇＮＢは、スロット毎またはフレーム毎にＳＲ送信機会を提供するように、ＣＣＡおよびＤＣＩ送信を実行することができる。
【０１１４】
いくつかの例示的な実装形態によれば、ｇＮＢは、自身の無線セル内でアップリンクリソースを提供するかどうかを、自身のアンライセンス無線セル内の１基または複数のＵＥから得られた測定情報に基づいて、決定することができる。例えばＵＥは、チャネルのビジー率がしきい値を上回るときに、均一Ｖ１およびＶ２ベースの測定報告（even-V1 and V2-based measurement report）をトリガーすることができる。
【０１１５】
別の例示的な実装形態によれば、ＵＥは、チャネル占有報告を周期的に送る。チャネル占有報告は、主として信号の受信に基づく。受信信号がサービングｇＮＢから来る場合、それはダウンリンクである。しかしながら受信信号が別のシステムから来る場合、それはダウンリンクではない。チャネル占有報告によってｇＮＢは、ダウンリンクトラフィックが別のシステム（例えば別の隠れたノードのトラフィック）と衝突する可能性を評価することができる。ｇＮＢは、チャネル占有報告に基づいて、自身がＰＵＣＣＨリソースを確保する頻度を決定することができる（非特許文献９を参照）。
【０１１６】
さらなる例示的な実装形態によれば、ｇＮＢは、スケジューリング要求を送信するために（１基または複数の）ＵＥによって使用される無線リソースを、さらに動的に制限することができ、したがってオプションとして、スケジューリング要求を送信するためにアンライセンス無線セルにアクセスすることのできるＵＥを制限することもできる。より詳細には、上述したように、ｇＮＢは、選択したＵＥグループＩＤを示すメッセージを（例えばＤＣＩメッセージを使用して）ＵＥに送信する。このさらなる例示的な実装形態によれば、このメッセージ（例：ＤＣＩ）は、スケジューリング要求を送信するための無線リソースをさらに示すことができる。ＤＣＩの中で示されるこれらのスケジューリング要求無線リソースは、一般的に使用可能である無線リソースの部分集合とすることができる。
【０１１７】
例えば、ＤＣＩメッセージがＵＥグループＩＤ  ００を示しており、したがって、それぞれアップリンクリソースセット０〜３が関連付けられているＵＥ１〜ＵＥ４を指すものと想定する（上の例示的な表を参照）。ｇＮＢは、アップリンクリソースセット０〜３のうち、すべてではない１つまたは複数を、アンライセンス無線セルにおいて利用可能とするべきことを決定することができる。これに対応してｇＮＢは、ＵＥグループＩＤを有するＤＣＩメッセージを送信するときに、これらの利用可能なスケジューリング要求無線リソースを示す適切な情報をＤＣＩに追加的に含めることができる。これに代えてｇＮＢは、使用されないブロックされた無線リソースを示す適切な情報をＤＣＩに含めることができる。
【０１１８】
一実装形態によれば、ｇＮＢは、例えば使用されるＰＲＢを識別することによって、使用可能なスケジューリング要求リソースを明示的に示すことができる。別の実装形態においては、ｇＮＢは、例えば無線リソースセット０および場合によってはさらなる無線リソースセットを識別することによって、利用可能である無線リソースセットを示すことができる。ＰＲＢを示すために必要なビットは、利用可能なリソース全体（例：帯域幅部分）に依存するようにしてもよい。
【０１１９】
例えば、ｇＮＢは、特定の無線リソースにおいてチャネル干渉が存在することを判定し、それらのリソースにおいて（１基または複数の）ＵＥによるアップリンク送信を許可しないように、この判定を動的に実行することができる。アップリンク無線リソースを制限するもう１つの理由は、キャリアの輻輳である。
【０１２０】
例えば、ＤＣＩメッセージがＵＥグループＩＤ  ００を示し（これにより、アップリンクで送信することのできるＵＥをＵＥ１〜ＵＥ４に制限する）、アップリンクリソースセット０，１，２をさらに示すことができる（これにより、アップリンクで送信することのできるＵＥをＵＥ１〜ＵＥ４からＵＥ１〜ＵＥ３に制限する）。このシナリオは、上で導入した例示的な設定の表を使用して、以下に例示的に示してある。
【表７】
2022501856.tif 000009
【０１２１】
この表から明らかであるように、ＵＥ１、ＵＥ２、およびＵＥ３のみが、それぞれ関連付けられるアップリンクリソースセット０，１，２を使用してアップリンクでスケジューリング要求を送信することが許可される。
【０１２２】
ｇＮＢは、ＵＥグループＩＤを示すことに加えて、利用可能なＳＲ無線リソースを識別することによって、（周波数）無線リソースを、動的に（例えばアンライセンス無線セルにおけるチャネルの状態、干渉、および／またはキャリアの輻輳に関連する現在の状況に応じて）設定することができる。
【０１２３】
ＵＥの観点からは、ＵＥは、示されたスケジューリング要求リソースが、自身に最初に設定された無線リソースセットの範囲内であるかの判定を、それぞれ追加的に実行する。例えばＵＥ１は、示された無線リソース（例：セットのインデックス０）が、設定されているセットのインデックス０と同じであることを実際に確認し、したがって送信待ち状態にあるスケジューリング要求を送信できるものと判断する。これに対してＵＥ４は、最初に自身に設定されたリソースセット３が、示されたＳＲリソースに含まれないことを求め、したがって送信待ち状態にあるスケジューリング要求を送信できないものと判断する。ＵＥ４は、場合によっては次のＣＯＴにおいてｇＮＢによって提供される別のＳＲ機会を待機しなければならない。
【０１２４】
図１０は、上のシナリオを想定したときの、利用可能なアップリンク無線リソースのこの柔軟な追加の制限を概念的に示している。図から明らかなように、図１０は、アップリンクにおいて一般に利用可能な時間−周波数無線リソース、より具体的には、４つのアップリンク無線リソースセット０〜４に関連付けられる無線リソース、を示している。最初に（図１０における左側）、アップリンクで例えばスケジューリング要求を送信する目的に、４つのリソースセットすべてが利用可能である。この場合には例えば、ＤＣＩの中のスケジューリング要求無線リソースの追加の指示情報は必要ない。
【０１２５】
これに対して、ＤＣＩの中でスケジューリング要求無線リソースを追加的に示すことによって、必要時に、利用可能なアップリンク無線リソースをさらに制限することができる。図１０に示した例において、中央列では、インデックス０のアップリンク無線リソースセットが利用可能ではなく（例えば、無線リソースセット１，２，３のみを示すことによる、または除外されるリソースセット０を示すことによる）、右側では、インデックス３のアップリンク無線リソースセットが利用可能ではない（例えば無線リソースセット０，１，２のみを示すことによる）。
【０１２６】
さらなる例示的な実装形態によれば、ＵＥグループＩＤを有するＤＣＩを１回送信することができるのみならず、ｇＮＢのＣＯＴ内で、最初のＤＣＩ送信の繰り返しを実行することができる。これにより、ＤＲＸ（不連続受信）状態にあるＵＥや、同期しておらずしたがってＤＣＩの最初の送信を受信できなかったＵＥへのＤＣＩの送達を促進することができる。ＤＣＩの繰り返しは、共通サーチスペースまたは専用サーチスペースのいずれかにおいて行うことができる。繰り返しは、例えば、チャネル占有時間全体を通じて実行することができる、またはＣＯＴ時間内の限られた期間の間のみ実行することができる、または繰り返しの回数を最大回数に制限することができる。
【０１２７】
特定の実装形態においては、アンライセンス周波数帯におけるスケジューリング要求のアップリンク送信を改良するための上述したメカニズムおよび解決策は、既存および今後の５Ｇ  ＮＲの枠組みの中に実施することができる。例えば、アップリンク無線リソースの設定は、５Ｇ  ＮＲのＰＵＣＣＨリソースセットと同様に実施することができ、ＲＲＣプロトコル層の同じかまたは類似する情報要素を使用して設定することもできる。５Ｇ  ＮＲにおいて公知の共通サーチスペースおよび専用サーチスペースならびに関連するメカニズム（さまざまなＲＮＴＩによるスクランブリングなど）の使用を、上述したように（少なくともＵＥグループを有する）ダウンリンク制御情報メッセージを送信する目的に再利用することができる。
【０１２８】
以下では、アンライセンス周波数帯におけるスケジューリング要求のアップリンク送信を改良する別の解決策について説明する。この解決策は、図１１、図１２、図１３、および図１４を参照しながら説明する。図１２は、ＵＥ側で実行される処理シーケンスを示しており、図１３は、ｇＮＢ側で実行される処理シーケンスを示しており、図１４は、この解決策による、ＵＥとｇＮＢとの間の信号の交換を示している。この改良された解決策のいくつかの態様は、図６〜図１０に関連して前に説明した解決策の態様に類似するかまたは同じである。
【０１２９】
図１１は、この解決策による単純化された例示的なＵＥの構造を示している。この図に示したＵＥのさまざまな構造要素は、例えば制御データやユーザデータ、それ以外の信号を交換する目的で、例えば対応する入力／出力ノード（図示していない）によって、互いに相互接続することができる。説明を目的として図示していないが、ＵＥはさらなる構造要素を含むことができる。
【０１３０】
図から明らかであるように、ＵＥは、以下で説明するようにアンライセンス無線セルでスケジューリング要求を送信するための手順に関与する目的で、設定受信機と、ＣＯＴ番号受信機と、ＣＯＴ番号判定器回路と、スケジューリング要求リソース決定器回路と、スケジューリング要求送信機とを含む。
【０１３１】
ｇＮＢは、利用可能なアップリンク無線リソースが複数の異なる無線リソースセットにどのように分配されるかを制御する。以下の解決策と、図６〜図１０に関連して説明した前の解決策との１つの違いとして、この解決策では、図６〜図１０に関連して説明した前の解決策のようにアップリンク無線リソースが（グループの）いくつかのＵＥの間で共有されるのではなく、アップリンク無線リソースが１基のＵＥに専用とされる。これに対応してｇＮＢは、異なるＵＥの間で異なる専用のアップリンク無線リソースを、アップリンク制御情報（スケジューリング要求など）の送信に使用されるように分配する。
【０１３２】
異なるセットのアップリンク無線リソースを、例えば、周波数領域において周波数分割多重化する、または（例えばＯＯＣ（直交カバーコード）もしくはシーケンスの異なるサイクリックシフトを使用して）符号分割多重化する、または（例えば時間単位としてＯＦＤＭシンボルに基づいて）時分割多重化することができる、または周波数分割、符号分割（ＣＤ）、時分割の任意の適切な組合せとすることができる。さらなる例示的な実装形態によれば、異なるセットの無線リソースの定義は、時間領域を含むこともできる。アップリンク無線リソースセットは、スケジューリング要求のアップリンク送信において使用することのできるシンボルおよび／またはスロットおよび／またはフレームを示すことができる。しかしながらこの場合、この時間の定義は、以下に説明するように、ＵＥによって示されるｇＮＢによって取得されたチャネル占有時間（共有されるｇＮＢ  ＣＯＴ）の開始を基準としてＵＥによって適用されるべきであることに留意されたい。例えば、設定は、ＳＲの送信に使用するべき周期およびオフセットを示すことができる。
【０１３３】
さらに、この解決策は、ｇＮＢが自身のアンライセンス無線セル内のＵＥによるアップリンク無線リソースの使用を制御することを容易にする、チャネル占有時間の番号（ＣＯＴ番号）を使用することに基づく。ＣＯＴ番号は、一般的にはｇＮＢのチャネル占有にリンクされている。ｇＮＢは、特に、（ＬＢＴの）ＣＣＡ手順を実行してアンライセンスキャリアを占有する。一例によれば、ＣＯＴ番号は、このチャネル占有のインスタンスを識別する。異なるＣＯＴ番号は、次のチャネル占有のインスタンスを識別することができる。
【０１３４】
無線リソースセットが、それぞれＣＯＴ番号に関連付けられる。
【０１３５】
一例においては、各無線リソースセットを１つのＣＯＴ番号によって明確に識別できるように、無線リソースセットの数と同じかまたはそれより多いＣＯＴ番号が存在することができる。
【０１３６】
これに代えて、無線リソースセットより少ないＣＯＴ番号が存在することができ、従って１つのＣＯＴ番号を１つまたは複数の無線リソースセットに関連付けることができる。この方式の利点として、ただ１つのＣＯＴ番号を使用することによって、２基以上のＵＥにアップリンク送信機会を提供することができる（後の説明も参照）。１つの例示的なシナリオにおいては、無線リソースセット、ＵＥ、およびＣＯＴ番号の間の関連付けを、ｇＮＢによって以下のように設定することができる。
【表８】
2022501856.tif 000010
【０１３７】
表から明らかであるように、それぞれが１対１の関係でＵＥに関連付けられている１２個の異なる無線リソースセットが存在することができる。さらに、４つの異なるＣＯＴ番号（例えば２ビットによって識別される）１〜４を、上の表のように割り当てることができる。したがって、ＣＯＴ番号１が、ＵＥ１，２，３と、さらに無線リソースセット０，１，２に割り当てられ、以下同様である。
【０１３８】
上の表は、無線リソースセット、ＵＥ、およびＣＯＴ番号の間の関連付けをｇＮＢがどのように定義できるかの数多くの例のうちの１つを示しているにすぎない。
【０１３９】
さらに、例えばｇＮＢが、あるＵＥを、例えばそのＵＥが満たしていることが求められるレイテンシ要件に基づいて優先させたい場合、そのＵＥにいくつかのＣＯＴ番号を関連付けることもできる。
【０１４０】
無線リソースセット、ＵＥ、およびＣＯＴ番号の間の関連付けは、以下の例示的な実装形態に従ったものとすることもできる。
【表９】
2022501856.tif 000011
【０１４１】
上の表から明らかであるように、アップリンク無線リソースセットが前の表とは異なって設定されており、すなわち最初の解決策と同様に、アップリンク無線リソースセットを複数の異なるＵＥによってさまざまな回数だけ共有することができる。例えば、同じ無線リソース０が、ＵＥ１、ＵＥ４、ＵＥ７、およびＵＥ１０によって共有されている。しかしながら、同じ無線リソースセットは異なるＣＯＴ番号に（すなわち異なるチャネル占有に）関連付けられているため、同じ無線リソースセットを同時に使用することはできないことに留意されたい。
【０１４２】
別の例によれば、ＣＯＴ番号、ＵＥ、および無線リソースセットとの間の関連付けの以下の定義を使用することができる。この定義では、ＵＥに２つ以上のＣＯＴ番号を割り当てることができる。
【表１０】
2022501856.tif 000012
【０１４３】
下の表は、無線リソースセット、ＵＥ、およびＣＯＴ番号の間の関連付けをｇＮＢによってどのように設定できるかの別の例であり、ＵＥに２つ以上のＣＯＴ番号を割り当て得るように考慮している。
【表１１】
2022501856.tif 000013
【０１４４】
この解決策では、ｇＮＢが、すべてのＣＯＴにおいて、ＳＲ送信用のいくつかのＰＵＣＣＨリソースを確保するものと例示的に想定することができる。これに対して、ｇＮＢが特定のＣＯＴにおいてアップリンクリソースの提供を動的にスキップすることを望む場合、ｇＮＢは、この点において例えばＤＣＩを使用することができる。例えばｇＮＢは、ＤＣＩフォーマットにおいて１ビットをブロードキャストすることができる。ＵＥがＤＣＩフォーマットを復号するときにビットが０を示している場合、ＵＥは、そのＣＯＴにおいてはｇＮＢがＰＵＣＣＨリソースを無効にしたものと判断し、したがってそのＣＯＴではＳＲを送らない。これに対して、ＤＣＩの中のビットが１である場合、ＵＥは、事前に設定されたリソースに基づいてＳＲを送ることができるものと判断する。
【０１４５】
さらに、図６〜図１０を参照しながら上述した前の解決策では、ｇＮＢは、各チャネル占有時間において自身のセル内のＵＥにアップリンク機会を提供することができる、または、ｇＮＢはＳＲ送信用のＰＵＣＣＨリソースを確保するかどうかを自身の判断で決定することができる。
【０１４６】
この解決策の以下の説明では、上の最後の表を例示的に想定する。上の例示的な表を想定すると、１基のＵＥの観点からは、ｇＮＢが、１つまたは複数のＣＯＴ番号と、アップリンク制御情報（スケジューリング要求など）を送信するための１つの専用のアップリンク無線リソースセットを割り当てる。例えばｇＮＢは、ＵＥ１にＣＯＴ番号１および３と、アップリンク無線リソースセット０とを割り当てる。
【表１２】
2022501856.tif 000014
【０１４７】
結果としてＵＥには、スケジューリング要求などのアップリンク制御情報を送信する状況において使用することのできる専用のアップリンク無線リソースが設定される。
【０１４８】
前の解決策およびそのバリエーションにおいてすでに説明したように、アンライセンス無線セルにおける送信では、最初に取得した後、取得したアンライセンスキャリアでの送信を実行する目的で、一般には最初にＬＢＴのＣＣＡに成功する必要がある。この解決策においても、ｇＮＢはアンライセンスキャリアを取得するためにＣＣＡを実行し、次いで、自身のアンライセンス無線セル内のＵＥの１基または複数に、取得したアンライセンスキャリアを使用してアップリンク制御情報を送信することを許可する。
【０１４９】
これに対応してｇＮＢは、アンライセンスキャリアの取得に成功した後、アップリンク機会をＵＥにどのように提供するかを決定するステップに進むことができる。実際にはｇＮＢは、どの１基または複数のＵＥがアップリンク制御情報（ＳＲなど）のアップリンク送信を実行できるかを、ＣＯＴ番号によって示す。
【０１５０】
ｇＮＢが自身のアンライセンス無線セル内で送信するＣＯＴ番号をどのように決定するかに関して、いくつかの実装形態が存在し得る。
【０１５１】
例示的な一実装形態によれば、ｇＮＢは、アンライセンスチャネルの占有に成功するたびにＣＯＴ番号を順次増大させる。具体的には、ｇＮＢは、ＣＣＡの後にアンライセンス無線セルを取得すると、自身の無線セル内で送信するＣＯＴ番号１を最初に選択することができる。これにより実質的に、ＣＯＴ番号１が関連付けられている１基または複数のＵＥ（上の表ではＵＥ１，２，３，９）に、アップリンク送信（例：ＳＲの送信）を実行することが許可される。ｇＮＢがその次の回にアンライセンス無線セルを取得すると、ｇＮＢは次のＣＯＴ番号（すなわち２）（すなわち前のＣＯＴ番号１の次）を決定することができ、したがってそのＣＯＴ番号２が関連付けられている１基または複数のＵＥ（上の表ではＵＥ４，５，６，１１）に、アップリンク送信（例：ＳＲの送信）を実行することが許可される。こうしてＣＯＴ番号は、ｇＮＢがチャネルを占有するたびに１ずつ順次増大される。ＣＯＴ番号は循環的に増大され、したがってｇＮＢは、ＣＯＴ番号４（前のチャネル占有）の次は、４つのＣＯＴ番号のみが存在することを考慮して、ＣＯＴ番号１（現在のチャネル占有）に増大させる。
【０１５２】
別の例示的な実装形態によれば、ｇＮＢは、どのＣＯＴ番号（したがってどの１基または複数のＵＥ）にアップリンク送信機会を提供するかを、さまざまな異なる基準と、前の解決策において行った方法と同じかまたは類似する方法に基づいて、決定することができる。例えば、ｇＮＢによるこの決定は、例えばＵＥの優先順位またはＵＥの能力に基づくことができる。
【０１５３】
いずれの場合もｇＮＢは、現在のチャネル占有に対して１つのＣＯＴ番号を決定し、そのＣＯＴ番号を、１基または複数のＵＥによって受信されるように自身の無線セル内で送信する。
【０１５４】
無線セル内でのＣＯＴ番号の送信は、さまざまな方法で実施することができる。例えば、プライマリ同期信号（ＰＳＳ）および／またはセカンダリ同期信号（ＳＳＳ）における物理層シグナリングによって、ＣＯＴ番号を暗黙的に伝えることができる。別の例においては、ｇＮＢは、任意のダウンリンク参照信号（ＣＳＩ−ＲＳ（チャネル状態情報参照信号：Channel State Information Reference Signal）やＤＭＲＳ（復調用参照信号：DeModulation Reference Signal）など）を使用することができる。これに代えて、ＣＯＴを伝える目的に、新規の参照信号を定義することができる。
【０１５５】
例示的な一実装形態においては、ｇＮＢは、ＰＳＳおよび／またはＳＳＳの基本参照シーケンスを使用し、それをＣＯＴ番号でスクランブルすることができる。この基本参照シーケンスは、ＵＥにおいて既知である。ＵＥは、ＰＳＳおよび／またはＳＳＳを受信すると、その受信された信号と、可能性のある各ＣＯＴ番号によって（または自身に関連付けられているＣＯＴ番号のみによって）スクランブルされた基本シーケンスとの相関を実行する。次いでＵＥは、受信された信号と、ＣＯＴ番号によってスクランブルされた基本シーケンスとの間の相間の結果が最も高かったＣＯＴ番号を選択し、結果としてＵＥは、同期信号からＣＯＴ番号を取得することができる。
【０１５６】
別の代替方法は、前の解決策において説明したＵＥグループＩＤの場合に行った方法と同じかまたは類似する方法で、ダウンリンク制御情報を使用してＣＯＴ番号を送信することである。ＤＣＩは、簡単に言えば、共通サーチスペースまたは専用サーチスペースを使用して送信することができ、共通識別子（ＳＦＩ−ＲＮＴＩなど）または専用識別子（Ｃ−ＲＮＴＩなど）によってスクランブルされる。さらに、ＣＯＴ番号は、（例えばＤＣＩの特定のフィールドを使用して）ＤＣＩの内容に含めることができる、またはＤＣＩのスクランブリングメカニズムにおけるスクランブリング識別子としてＣＯＴ番号を使用することによって、暗黙的に符号化することができる。
【０１５７】
さらに別の可能な方法として、システム情報ブロックなどのシステム情報ブロードキャストメカニズムを使用してＣＯＴ番号を伝えることができる。
【０１５８】
ＣＯＴ番号は、上のメカニズムのいずれかに基づいてＵＥに提供される。するとＵＥは、そのＣＯＴ番号を取得し、（ｇＮＢによって決定された）受信されたＣＯＴ番号と、最初にＵＥに設定されていたＣＯＴ番号とを比較することができる。言い換えればＵＥは、共有されるｇＮＢ  ＣＯＴの間にスケジューリング要求を送信する目的でアンライセンス無線セルにアクセスすることが許可されるかを判定する。受信されたＣＯＴ番号がＵＥに関連付けられている場合、ＵＥは自身の設定されているアップリンク無線リソースを使用してアップリンク制御情報の送信を実行することができる。受信されたＣＯＴ番号がＵＥに関連付けられていない場合、ＵＥはそのチャネル占有時間においてはアップリンク制御情報の送信を実行することが許可されない。ＵＥは、ｇＮＢの別のチャネル占有時間の間の、より後のアップリンク送信機会を待機しなければならない。
【０１５９】
スケジューリング要求がＵＥにおいて（例えばバッファ状態報告によって）前にトリガーされて、したがって送信可能な状態にあるものと例示的に想定する。ＵＥは、自身がそのチャネル占有時間に対して資格がある（すなわち受信されたＣＯＴ番号が、関連付けられているＣＯＴ番号の１つと同じである）と判定する場合、スケジューリング要求を送信するための無線リソースを決定する。スケジューリング要求リソースの決定は、例えば、前に設定されたアップリンク無線リソースと、受信されたＣＯＴ番号のタイミングとに基づく。例えば、時間領域においては、スケジューリング要求を送信するための事前に設定された無線リソースを、チャネル占有時間の先頭（ＵＥにおいてＣＯＴ番号を受信したタイミングと同じであるものと想定する）を基準として適用することができる。例えばＵＥは、（事前に設定された無線リソースセットの一部としての）ＳＲの周期および／またはＳＲのオフセットを適用することができる。例えば、ＵＥがＵＲＬＬＣデータ、または高い優先順位のｅＭＢＢトラフィックを有する場合、ｇＮＢは、ＳＲリソースを通常より高い頻度でスケジューリングすることができる。その場合にｇＮＢは、例えば３回のＣＯＴごとに（例えばＣＯＴ番号１，３，６，９，．．．）ＳＲリソースをスケジューリングすることができ、中程度の優先順位のトラフィックの場合には、ｇＮＢは５回のＣＯＴごとに（例えばＣＯＴ番号５，１０）スケジューリングすることができる。
【０１６０】
例えば、ｇＮＢによってＣＯＴ番号１が示されたものと想定すると、ＵＥ１，２，３，９は、それぞれアップリンク無線リソースセット０，１，２，８が関連付けられており、したがってそれらの無線リソースを使用してアップリンクでスケジューリング要求を送信する。
【０１６１】
ＵＥは、たとえアンライセンス無線セルで送信を実行する場合であっても、事前の空きチャネル判定（ＣＣＡ）を実行する必要がない。そのアンライセンス無線セルはｇＮＢによってすでに取得されており、したがってスケジューリング要求を送信する目的でＵＥによって使用することができる。図１４から明らかであるように、ｇＮＢのチャネル占有時間（ＣＯＴ）は、ＵＥによるスケジューリング要求の送信の後に終了する。
【０１６２】
さらに、例示的な一実装形態においては、ＵＥは、ＣＯＴ番号を受信した後、ある短い期間（図１４ではＣＣＡ不要期間と例示的に称している）内にスケジューリング要求を送信する。例えば、ダウンリンク（ＣＯＴ番号の受信）とアップリンク（ＳＲの送信）との間のスイッチングギャップが、短い期間（例：１６マイクロ秒）より小さいときには、ＵＥは最初にリッスンビフォアトークを実行してアンライセンス周波数帯を取得する必要がない。言い換えれば、ＣＯＴ番号の受信によって、ＵＥには、自身でのＣＣＡの実行を回避できるように、事前に設定されたアップリンクリソースを使用してスケジューリング要求の送信を（特定の期間内に）実行するための基準となる時間イベント（relative time event）が提供される。
【０１６３】
ＵＥからｇＮＢにスケジューリング要求が通常に送信された後も、手順は続きうる。例えばｇＮＢは、そのスケジューリング要求を処理することができ、新たなアップリンク送信用のさらなるアップリンクリソースをＵＥに割り当てる、または割り当てない。これらの手順は本出願の趣旨ではないため、図１４には示していない。
【０１６４】
この解決策の利点として、この解決策では、ＤＣＩを送信することによって（例えばＰＳＳ／ＳＳＳを使用することによって）発生するオーバーヘッドの回避を促進することができる。さらに、この解決策のさらなる利点として、この解決策は、ＰＵＣＣＨリソースセットの現在の定義と良好に合致し、なぜならこの解決策および５Ｇの現在のＰＵＣＣＨリソースセットの定義では、リソースは周波数領域および時間領域の両方において定義されるためである。ただしこの解決策では、ＵＥ側でのＣＣＡの実行を回避するために、これらの事前に設定された周波数リソースおよび時間リソースを使用できる相対的なタイミング（すなわちＣＯＴ番号の受信）が追加的に提供される。
【０１６５】
特定の実装形態においては、アンライセンス周波数帯におけるスケジューリング要求のアップリンク送信を改良するための上述したメカニズムおよび解決策は、既存および今後の５Ｇ  ＮＲの枠組みの中に実施することができる。例えば、アップリンク無線リソースの設定は、５Ｇ  ＮＲのＰＵＣＣＨリソースセットと基本的に同じ方法で実施することができ、ＲＲＣプロトコル層の同じかまたは類似する情報要素を使用して設定することもできる。５Ｇ  ＮＲにおいて使用できるように現在提供されているＰＳＳ／ＳＳＳの送信に関する定義を、ＣＯＴ番号を伝えることができるように再利用および適合化することができる。
【０１６６】
［さらなる態様］
第１の態様によれば、受信機と、処理回路と、送信機とを備えたユーザ機器、を提供する。受信機は、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、ユーザ機器が関連付けられているユーザ機器のグループを示すＵＥグループＩＤに関連付けられている。受信機は、ＵＥグループＩＤを示すダウンリンク制御情報（ＤＣＩ）を基地局から受信する。処理回路は、ユーザ機器が関連付けられているＵＥグループＩＤが、ダウンリンク制御情報によって受信されたＵＥグループＩＤと同じであるかを判定する。処理回路は、ユーザ機器が関連付けられているＵＥグループＩＤが、ダウンリンク制御情報によって示されたＵＥグループＩＤと同じであると判定するとき、アップリンク制御情報無線リソースの少なくとも１つのセット内のスケジューリング要求無線リソースを、受信されたダウンリンク制御情報に基づいて決定する。送信機は、スケジューリング要求を、決定されたスケジューリング要求無線リソースを使用して基地局に送信する。
【０１６７】
第１の態様に加えて提供される第２の態様によれば、処理回路は、ダウンリンク制御情報のフィールドからＵＥグループＩＤを求める。オプションとして、処理回路は、制御情報の誤り訂正符号を、共通識別子（スロットフォーマットインジケータ無線ネットワーク一時識別子（ＳＦＩ−ＲＮＴＩ：Slot-Format-Indicator Radio Network Temporary Identifier）、中断送信インジケータＲＮＴＩ（ＩＮＴ−ＲＮＴＩ：Interrupted Transmission Indicator RNTI）、５Ｇ−ＮＲ通信システムのシステム情報ＲＮＴＩ（ＳＩ−ＲＮＴＩ：System Information RNTI）、またはスケジューリング要求に固有なＲＮＴＩなど）を使用して、デスクランブルする。これに代えて、処理回路は、動作時、ダウンリンク制御情報の誤り訂正符号のデスクランブリングに基づいて、ＵＥグループＩＤを求める。
【０１６８】
第１の態様または第２の態様に加えて提供される第３の態様によれば、基地局がアンライセンス無線セルの空きチャネル判定の成功時にアンライセンス無線セルを取得しているチャネル占有時間の間に、ダウンリンク制御情報が基地局によって送信される。
【０１６９】
第１の態様から第３の態様のいずれか一態様に加えて提供される第４の態様によれば、ダウンリンク制御情報は、スケジューリング要求を送信するために使用されるべきスケジューリング要求無線リソースに関する情報を含む。処理回路は、動作時、スケジューリング要求無線リソースが、アップリンク制御情報無線リソースの少なくとも１つのセット内であるかを判定する。処理回路は、スケジューリング要求無線リソースが、アップリンク制御情報無線リソースの少なくとも１つのセットの無線リソース内であると判定するとき、スケジューリング要求を、ダウンリンク制御情報の中で示されたスケジューリング要求無線リソースを使用して送信するように決定する。オプションとして、処理回路は、スケジューリング要求無線リソースが、アップリンク制御情報無線リソースの少なくとも１つのセットの無線リソース内ではないと判定するとき、スケジューリング要求を送信しないように決定する。
【０１７０】
第４の態様に加えて提供される第５の態様によれば、アップリンク設定情報は、無線リソース制御（ＲＲＣ）層の１つまたは複数のメッセージの中で受信される。
【０１７１】
第１の態様から第５の態様のいずれか一態様に加えて提供される第６の態様によれば、ＤＣＩは、共通制御情報リソース領域において送信され、共通制御情報リソース領域は、アンライセンス無線セル内の複数のユーザ機器によって監視される。オプションとして、処理回路は、ダウンリンク制御情報の誤り訂正符号を共通識別子を使用してデスクランブルする。
【０１７２】
これに加えて、またはこれに代えて、ＤＣＩは、専用制御情報リソース領域において送信され、専用制御情報リソース領域は、ユーザ機器によって監視されるが、アンライセンス無線セル内の他のユーザ機器によっては監視されない。オプションとして、処理回路は、動作時、ダウンリンク制御情報の誤り訂正符号を、ユーザ機器の専用識別子を使用してデスクランブルする。
【０１７３】
第１の態様から第６の態様のいずれか一態様に加えて提供される第７の態様によれば、処理回路は、ユーザ機器が、スケジューリング要求を送信する前にアンライセンス無線セルに対する空きチャネル判定を実行する必要がないことを、受信されたダウンリンク制御情報に基づいて判定する。オプションとして、スケジューリング要求の送信は、ＵＥグループＩＤを示すダウンリンク制御情報を受信した後、定義されている期間内に実行され、この期間の間、ユーザ機器は、アンライセンス無線セルにおいて送信を実行するためにアンライセンス無線セルに対する空きチャネル判定を実行する必要がない。
【０１７４】
第１の態様から第７の態様のいずれか一態様に加えて提供される第８の態様によれば、受信機は、最初のダウンリンク制御情報を受信した後、基地局によって送信されるダウンリンク制御情報の繰り返しを受信する。
【０１７５】
第１の態様から第８の態様のいずれか一態様に加えて提供される第９の態様によれば、スケジューリング要求は、さらなるアップリンク送信用の、基地局からのアップリンク無線リソース、を要求する。
【０１７６】
第１０の態様によれば、送信機および処理回路を備えた基地局、を提供する。送信機は、アンライセンス無線セルの無線リソースの少なくとも１つのセットを設定するためのアップリンク設定情報を、１基または複数のユーザ機器に送信し、無線リソースの少なくとも１つのセットが、アンライセンス無線セルにおいてアップリンク制御情報の送信用にユーザ機器に利用可能であり、無線リソースの少なくとも１つのセットが、ユーザ機器が関連付けられているユーザ機器のグループを示すＵＥグループＩＤに関連付けられている。処理回路は、アンライセンス無線セルの空きチャネル判定を実行する。アンライセンス無線セルの空きチャネル判定に成功する場合、処理回路は、複数のＵＥグループの１つ、および関連付けられるＵＥグループＩＤを決定する。送信機は、決定されたＵＥグループＩＤを示すダウンリンク制御情報を、１基または複数のユーザ機器に送信する。
【０１７７】
第１０に加えて提供される第１１の態様によれば、基地局は、受信機をさらに備えており、受信機は、決定されたＵＥグループＩＤに関連付けられているユーザ機器の１基または複数から、スケジューリング要求を受信する。
【０１７８】
第１２の態様によれば、以下のステップを含む方法、を提供する。ＵＥは、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、ユーザ機器が関連付けられているユーザ機器のグループを示すＵＥグループＩＤに関連付けられている。ＵＥは、ＵＥグループＩＤを示すダウンリンク制御情報（ＤＣＩ）を基地局から受信する。ＵＥは、ユーザ機器が関連付けられているＵＥグループＩＤが、ダウンリンク制御情報によって受信されたＵＥグループＩＤと同じであるかを判定する。ＵＥは、ユーザ機器が関連付けられているＵＥグループＩＤが、ダウンリンク制御情報によって示されたＵＥグループＩＤと同じであると判定するとき、アップリンク制御情報無線リソースの少なくとも１つのセット内のスケジューリング要求無線リソースを、受信されたダウンリンク制御情報に基づいて決定する。ＵＥは、スケジューリング要求を、決定されたスケジューリング要求無線リソースを使用して基地局に送信する。
【０１７９】
第１３の態様によれば、受信機と、処理回路と、送信機とを備えたユーザ機器、を提供する。受信機は、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、複数のチャネル占有時間（ＣＯＴ）番号の１つに関連付けられている。受信機は、ＣＯＴ番号を含むチャネル占有信号を基地局から受信する。処理回路は、受信されたＣＯＴ番号が、無線リソースの少なくとも１つのセットが関連付けられているＣＯＴ番号の１つと同じであるかを判定する。処理回路は、受信されたＣＯＴ番号が、無線リソースの少なくとも１つのセットが関連付けられているＣＯＴ番号の１つと同じであると判定するとき、無線リソースの少なくとも１つのセット内のスケジューリング要求無線リソースを、受信されたチャネル占有信号に基づいて決定する。送信機は、スケジューリング要求を、決定されたスケジューリング要求リソースを使用して基地局に送信する。
【０１８０】
第１３の態様に加えて提供される第１４の態様によれば、チャネル占有信号は、アンライセンス無線セルにおいて基地局によってブロードキャストされる１つまたは複数の同期信号を使用して送信される。オプションとして、スクランブリング参照信号シーケンス（scrambling reference signal sequence）を使用することができる。これに代えて、チャネル占有信号は、ユーザ機器によって監視されるダウンリンクリソース領域においてダウンリンク制御情報として送信される。
【０１８１】
第１３の態様または第１４の態様に加えて提供される第１５の態様によれば、処理回路は、ユーザ機器が、スケジューリング要求を送信する前にアンライセンス無線セルに対する空きチャネル判定を実行する必要がないことを、受信されたチャネル占有信号に基づいて判定する。オプションとして、スケジューリング要求の送信は、ダウンリンク制御情報を受信した後、定義されている期間内に実行され、この期間の間、ユーザ機器は、送信を実行するためにアンライセンス無線セルに対する空きチャネル判定を実行する必要がない。
【０１８２】
第１６の態様によれば、送信機および処理回路を備えた基地局、を提供する。送信機は、アンライセンス無線セルの無線リソースの少なくとも１つのセットを設定するためのアップリンク設定情報を、１基または複数のユーザ機器に送信し、無線リソースの少なくとも１つのセットが、アンライセンス無線セルにおいてアップリンク制御情報の送信用にユーザ機器に利用可能であり、無線リソースの少なくとも１つのセットが、複数のチャネル占有時間（ＣＯＴ）番号の１つに関連付けられている。処理回路は、アンライセンス無線セルの空きチャネル判定を実行する。アンライセンス無線セルの空きチャネル判定に成功する場合、処理回路は、複数のＣＯＴ番号の１つを決定する。送信機は、決定されたＣＯＴ番号を示すチャネル占有信号を、１基または複数のユーザ機器に送信する。
【０１８３】
第１６の態様に加えて提供される第１７の態様によれば、基地局は受信機をさらに備えており、受信機は、決定されたＣＯＴ番号に関連付けられているユーザ機器の１基または複数から、スケジューリング要求を受信する。
【０１８４】
第１６の態様または第１７の態様に加えて提供される第１８の態様によれば、処理回路は、各チャネル占有に対して複数のＣＯＴ番号の１つを連続的に決定し、前に決定されたＣＯＴ番号の後に次のＣＯＴ番号を選ぶ。これに代えて、処理回路は、スケジューリング要求を送信するための機会が提供されるべき１基または複数のユーザ機器に基づいて、複数のＣＯＴ番号の１つを決定する。
【０１８５】
第１９の態様によれば、ユーザ機器によって実行される以下のステップを含む方法、を提供する。ＵＥは、アンライセンス無線セルを介してユーザ機器と通信する基地局から、アンライセンス無線セルの無線リソースの少なくとも１つのセットを設定するためのアップリンク設定情報、を受信し、無線リソースの少なくとも１つのセットが、アップリンク制御情報の送信用にユーザ機器に利用可能であり、無線リソースの少なくとも１つのセットが、複数のチャネル占有時間（ＣＯＴ）番号の１つに関連付けられている。ＵＥは、ＣＯＴ番号を含むチャネル占有信号を基地局から受信する。ＵＥは、受信されたＣＯＴ番号が、無線リソースの少なくとも１つのセットが関連付けられているＣＯＴ番号の１つと同じであるかを判定する。ＵＥは、受信されたＣＯＴ番号が、無線リソースの少なくとも１つのセットが関連付けられているＣＯＴ番号の１つと同じであると判定するとき、無線リソースの少なくとも１つのセット内のスケジューリング要求無線リソースを、受信されたチャネル占有信号に基づいて決定する。ＵＥは、スケジューリング要求を、決定されたスケジューリング要求リソースを使用して基地局に送信する。
【０１８６】
［ハードウェアおよびソフトウェアによる本開示の実施］
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩはチップとして個別に形成する、または、機能ブロックの一部またはすべてが含まれるように１個のチップを形成することができる。ＬＳＩは、自身に結合されたデータ入出力部を含むことができる。ＬＳＩは、本明細書においては、集積度の違いに応じて、ＩＣ（集積回路）、システムＬＳＩ、スーパーＬＳＩ、またはウルトラＬＳＩとも称される。しかしながら、集積回路を実施する技術は、ＬＳＩに限定されず、専用回路、汎用プロセッサ、または専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブルプロセッサを使用することもできる。本開示は、デジタル処理またはアナログ処理として実施することができる。半導体技術または別の派生技術が進歩する結果として、将来の集積回路技術がＬＳＩに置き換わる場合、その将来の集積回路技術を使用して機能ブロックを集積化することができる。バイオテクノロジを適用することもできる。
【０１８７】
さらに、様々な実施形態は、ソフトウェアモジュールによっても実施され得る。これらのソフトウェアモジュールは、プロセッサによって実行される、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。さらには、複数の異なる実施形態の個々の特徴は、個々に、または任意の組合せにおいて、別の実施形態の主題とすることができることに留意されたい。
【０１８８】
具体的な実施形態に示した本開示には、様々な変更および／または修正を行うことができることが、当業者には理解されるであろう。したがって、本明細書に示した実施形態は、あらゆる点において例示的であり、本発明を制限するものではないものとみなされる。
【図１】
2022501856.tif 000015
【図２】
2022501856.tif 000016
【図３】
2022501856.tif 000017
【図４】
2022501856.tif 000018
【図５】
2022501856.tif 000019
【図６】
2022501856.tif 000020
【図７】
2022501856.tif 000021
【図８】
2022501856.tif 000022
【図９】
2022501856.tif 000023
【図１０】
2022501856.tif 000024
【図１１】
2022501856.tif 000025
【図１２】
2022501856.tif 000026
【図１３】
2022501856.tif 000027
【図１４】
2022501856.tif 000028
【国際調査報告】
2022501856.tif 000029
2022501856.tif 000030
2022501856.tif 000031